(57)【特許請求の範囲】
【請求項１】
第１および第２の通信システムを含む無線通信の方法であって、前記第１の通信システムは互いに通信する少なくとも第１のノードおよび第２のノードを有し、
前記第１のノードのプロトコルスタックを修正し、前記修正は前記プロトコルスタックを層の第１の部分と層の第２の部分とに分割することを含み、層の前記第１の部分と層の前記第２の部分は１つ以上のデータペイロードを処理するよう構成され、
前記第１のノード内で層の前記第１の部分を実行して、前記第２のノードに層の前記第２の部分を実行させ、
前記第２の通信システムを介して前記１つ以上のデータペイロードを伝達する、
ことを含み、
層の前記第１の部分と層の前記第２の部分とを組み合わせて実行することにより前記第１の通信システム内の少なくとも１つの論理エンティティとの通信を可能にする、
無線通信の方法。
【請求項２】
前記第１のノードはハンドセットを含み、前記第２のノードは論理的セルラ基地局システムを含み、前記第２の通信システムは無線ローカルエリアネットワーク（ＷＬＡＮ）である、請求項１記載の無線通信の方法。
【請求項３】
前記ハンドセットはロングタームエボリューション（ＬＴＥ）ユーザ機器（ＵＥ）を含み、前記ＷＬＡＮ  ＡＰは論理的ＬＴＥエンハンスドノードＢ（ｅＮＢ）を含み、セルラネットワークはＬＴＥ第４世代（４Ｇ）システムを含み、前記第２の通信システムはＷＬＡＮネットワークを含む、請求項２記載の無線通信の方法。
【請求項４】
前記プロトコルスタックの前記分割の動作は、ロングタームエボリューション（ＬＴＥ）プロトコルスタックの無線リンク制御（ＲＬＣ）層と媒体アクセス制御（ＭＡＣ）層の間の前記プロトコルスタックの分割を含む、請求項２記載の無線通信の方法。
【請求項５】
前記第２の通信システムを介して安全でないオープンモードの層の前記第１の部分と層の前記第２の部分の間にアクセストンネルを与えることを更に含む、請求項１記載の無線通信の方法。
【請求項６】
前記第２の通信システムを介して安全なクローズドモードの層の前記第１の部分と層の前記第２の部分の間にアクセストンネルを与えることを更に含む、請求項１記載の無線通信の方法。
【請求項７】
前記第１のノードでＷｉ-Ｆｉオーバーロングタームエボリューション（ＷｏＬＴＥＮ）ソフトウエアアプリケーションを実行することを更に含む、請求項１記載の無線通信の方法。
【請求項８】
前記第２のノードにネットワークＷｏＬＴＥＮエージェントアプリケーションを実行させることを更に含む、請求項７記載の無線通信の方法。
【請求項９】
前記ＷｏＬＴＥＮソフトウエアアプリケーションと前記ＷｏＬＴＥＮエージェントの間にＷｏＬＴＥＮ専用の制御チャネルを確立することを更に含む、請求項８記載の無線通信の方法。
【請求項１０】
前記ＷｏＬＴＥＮソフトウエアアプリケーションは多重化および逆多重化（ＭＵＸ／ＤｅＭＵＸ）バッファを含む、請求項９記載の無線通信の方法。
【請求項１１】
前記ＷｏＬＴＥＮエージェントアプリケーションは多重化および逆多重化（ＭＵＸ／ＤｅＭＵＸ）バッファを含む、請求項９記載の無線通信の方法。
【請求項１２】
前記第２のノードは１台以上のハンドセットと通信するよう更に構成される、請求項１記載の無線通信の方法。
【請求項１３】
前記第２の通信システムを介して前記第１の通信システムの前記第１のノードＲＬＣ層と前記第２のノードＲＬＣ層の間にアクセストンネルを与えることを更に含む、請求項３記載の無線通信の方法。
【請求項１４】
第１および第２の通信システムを介する無線通信の方法であって、前記第１の通信システムは互いにデータ通信する少なくとも第１のノードと第２のノードと、当該第１および第２のノードに対応する第１および第２のプロトコルスタックとを有し、通常動作中、当該第１および第２のプロトコルスタックはそれぞれ第１の部分および第２の部分を有し、前記第１のノードの前記第１のプロトコルスタックの前記第１の部分および前記第２の部分は、前記第２のノードの前記第２のプロトコルスタックの前記第１の部分および前記第２の部分を使用して、１つ以上のデータペイロードを処理するよう構成され、
前記第１のノードでの前記第１のプロトコルスタックの前記第１の部分を実行させて、前記第２のノードでの前記第１のプロトコルスタックの置換された第２の部分を実行させ、
前記第２の通信システムを介して１つ以上のデータペイロードを伝達し、
前記第１のノードでの前記第１のプロトコルスタックの前記第１の部分と前記第２のノードでの前記第１のプロトコルスタックの前記置換された第２の部分の実行は協力して前記第１の通信システム内の１つ以上の論理エンティティとの通信を可能にする、
無線通信の方法。
【請求項１５】
前記１つ以上のデータペイロードを通信する動作は、前記第１のプロトコルスタックの前記第１の部分と、安全なクローズドモードでの前記第１のプロトコルスタックの前記置換された第２の部分との間のアクセストンネルを生成することを含む、請求項１４記載の方法。
【請求項１６】
専用の制御トンネルで前記第２の通信システムを介して前記第１のノードと前記第２のノードの間の無線リンクを制御することを含む、請求項１４記載の方法。
【請求項１７】
前記無線リンクを制御する動作は、前記無線リンクに対するバンド幅の割当てとチャネルとを連携させることを含む、請求項１６記載の方法。
【請求項１８】
第１および第２の通信システムを含む無線通信の方法であって、前記第１の通信システムは互いに通信する少なくとも第１のノードおよび第２のノードを有し、
前記方法は、
前記第１のノードのプロトコルスタックを修正し、ここで、前記修正は前記プロトコルスタックを層の第１の部分と層の第２の部分とに分割することを含み、層の前記第１の部分と層の前記第２の部分は１つ以上のデータペイロードを処理し、
前記第１のノード内で層の前記第１の部分を実行して、前記第２のノードに層のだまされた第２の部分を実行させ、ここで、当該だまされた第２の部分は、層の前記第２の部分と前記第２のノードの少なくとも１つの層との間の１つ以上の動作を最適化しており、
層の前記第１の部分と層の前記だまされた第２の部分とを組み合わせて実行することにより前記第１の通信システム内の少なくとも１つの論理エンティティとの通信を可能にするように、前記第２の通信システムを介して前記１つ以上のデータペイロードを伝達することを含む、無線通信の方法。
【請求項１９】
前記プロトコルスタックの前記分割の動作は、ロングタームエボリューション（ＬＴＥ）プロトコルスタックの無線リンク制御（ＲＬＣ）層と媒体アクセス制御（ＭＡＣ）層の間の前記プロトコルスタックの分割を含む、請求項１８記載の無線通信の方法。
【請求項２０】
前記１つ以上の動作の最適化は、前記第２のノードで前記少なくとも１つの層をバイパスすることを含む、請求項１８記載の無線通信の方法。
【発明の詳細な説明】
【技術分野】
【０００１】
（優先権）
本出願は、同じタイトルの米国特許出願第１４／１５６，３３９号、２０１４年１月１５日出願への優先権を主張するものであり、同時継続出願の米国暫定特許出願第６１／８４９，０８７号、２０１３年１月１８日出願の「Ｎｅｔｗｏｒｋ  Ａｇｎｏｓｔｉｃ  Ｗｉｒｅｌｅｓｓ  Ｒｏｕｔｅｒ（ＮＡＷＲ））」、および第６１／８４８，９５０号、２０１３年１月１６日出願の「ＷｉＦｉ  ｏｖｅｒ  ＬＴＥ  Ｎｅｔｗｏｒｋ（ＷｏＬＴＥＮ）」への優先権を主張するものである。前記各出願全体をここに援用する。
【０００２】
（関連出願）
本出願は、共有しかつ同時継続出願の米国特許出願第１４／１５６，１７４号の「ＭＥＴＨＯＤＳ  ＡＮＤ  ＡＰＰＡＲＡＴＵＳ  ＦＯＲ  ＮＥＴＷＯＲＫ−ＡＧＮＯＳＴＩＣ  ＷＩＲＥＬＥＳＳ  ＲＯＵＴＥＲ」、２０１４年１月１５日出願に関連し、その全体をここに援用する。
【背景技術】
【０００３】
（背景）
（１．技術分野）
本開示は一般に、無線通信およびデータネットワークの分野に関する。より特定すると、１つの例示の態様において、本開示はコアネットワークへのハイブリッドアクセスの方法および機器に関する。
【０００４】
（２．関連技術の説明）
とりわけ、いわゆる「スマートフォン」技術の出現により加速された移動体データサービスの急速な発展の結果、高速データ伝送の量および移動体サービスの人気が急増した。急増した人気と共に、より優れた、より信頼性の高いサービスおよびネットワーク機能に対するユーザの期待が高まっている。高容量の要求を緩和するための短期的な解としては、「データレートの抑制」、制限された高い料金の導入、「無制限のデータ計画」の廃止などの不人気な手段がある。長期的な解としては、ユーザの要求を満たすための新しいアクセス技術（ロングタームエボリューション（ＬＴＥ）など）が必要であり、また費用のかかるインフラ投資が更に必要になる。
【０００５】
最初の解としては、例えば、いわゆる「小型セル」（例えば、フェムトセル、ピコセル、およびマイクロセル）、「ＨｅｔＮｅｔ」（異質ネットワーク）、および「Ｗｉ−Ｆｉオフローディング」がある。話が少し逸れるが、小型セル技術ではネットワークオペレータのコアネットワークへのバックホール接続性が必要である。これは展開を複雑にすることがある。なぜなら、小型セルは十分な周波数資源にアクセスできないのに高容量の下層を必要とすることがあるからである（すなわち、キャリヤグレードの接続性を非常に高いビット当たりコストで提供しなければならない）。ＨｅｔＮｅｔは多数の異なるネットワーク技術を組み込むので、マクロセルと下層セルの間に同一チャネル干渉が起こることがある。対照的に、「Ｗｉ-Ｆｉオフローディング」ではスペクトルの不足がなく、Ｗｉ-Ｆｉホットスポットは無免許の（免許を免除された）バンドで動作する。ここには豊富なスペクトルがある（産業科学医療（ＩＳＭ）バンドおよび無免許全米情報基盤（Ｕ-ＮＩＩ）バンドは約０．５ＧＨｚのスペクトルを提供する）。このため、Ｗｉ-Ｆｉオフローディングはネットワークオペレータにとって非常に魅力的である。実際に、小型セル基地局の中には統合Ｗｉ-Ｆｉアクセスポイント（ＡＰ）機能性（例えば、「Ｗｉ-Ｆｉ可」）を有するものがある。
【先行技術文献】
【特許文献】
【０００６】
【特許文献１】米国特許出願第１４／１５６，３３９号
【特許文献３】米国暫定特許出願第６１／８４８，９５０号
【特許文献２】米国暫定特許出願第６１／８４９，０８７号
【特許文献４】米国特許出願第１４／１５６，１７４号
【非特許文献】
【０００７】
【非特許文献１】ＩＥＥＥ８０２．１１
【非特許文献２】ＩＥＥＥ８０２．１１ｉ
【非特許文献３】ＩＥＥＥ８０２．１１ｎ
【発明の概要】
【発明が解決しようとする課題】
【０００８】
かかる利点にも関わらず、Ｗｉ-Ｆｉオフローディングシステムおよびネットワークには関連するいくつかの基本的問題がある。既存のネットワークオペレータはセルラネットワークとＷｉ-Ｆｉネットワークとを、動作と管理を別々に行う２つの別個のビジネスユニットとして扱う。また、動作およびサービスレベルにおいて２つのネットワークの間に統合および相互作用がほとんどない。例えば、Ｗｉ-Ｆｉネットワークは標準的な「発見」、「選択」、および「アクセス」機構および／または手続きを有しない。そのため、これらのネットワークに入るのは困難であり、および／またはサービス品質（ＱｏＳ）とセキュリティとポリシーに一貫性がない。更に、セルラネットワークは一般に、通信を取得し、登録し、認証し、暗号化するよう構成された単一の加入者識別モジュール（ＳＩＭ）を実現している。対照的に、Ｗｉ-Ｆｉネットワークは、無線インターネットサービスプロバイダローミング（ＷＩＳＰｒ）（または同種のもの）に依存する種々の「ウエブベースの」認証法に基づいている。ＷＩＳＰｒはユーザにユーザ名とパスワードとを入力することを要求し、これを、例えば、ＡＡＡ／ＲＡＤＩＵＳサーバにより認証する。このステップは不便であり誤りを生じやすい。
【０００９】
かかる欠点があるので、他のネットワーク技術を用いて移動体無線（例えば、セルラ）ネットワークにアクセスすることができる改善された方法および機器が必要である。かかる改善は、理想的には、例えばＷｉ-Ｆｉネットワークとセルラネットワークを結合して、例えば、ユーザの経験、ポリシーの調整、発見、選択、および結合、認証、およびＱｏＳを両ネットワークで継ぎ目なく同様にするための統合された解を提供するであろう。その他の利点としては、Ｗｉ-Ｆｉローミング、Ｗｉ-Ｆｉニュートラルホスト、およびＩＰ移動性の機能を含み、同時に、統合されたセルラ・  Ｗｉ-Ｆｉネットワークのためのネットワークハンドオフを提供することを含んでよい。
【課題を解決するための手段】
【００１０】
（開示の概要）
本開示は、コアネットワークへのハイブリッドアクセスの、とりわけ、改善された機器および方法を提供することにより、上に述べたニーズを満足させる。
１つの態様では、第１および第２の通信システム内の無線通信の方法を開示する。１つの実施の形態では、第１の通信システムは互いに通信する少なくとも第１のノードおよび第２のノードを有し、本方法は、第１のノードのプロトコルスタックを修正し、この修正はこのプロトコルスタックを層の第１の部分と層の第２の部分とに分割することを含み、層の第１の部分と層の第２の部分は１つ以上のデータペイロードを処理するよう構成されることと、第１のノード内で層の第１の部分を実行して、第２のノードに層の第２の部分を実行させることと、第２の通信システムを介して１つ以上のデータペイロードを伝達することとを含む。１つの変形では、層の第１の部分と層の第２の部分とを組み合わせて実行することにより第１の通信システム内の論理エンティティとの通信を可能にする。
【００１１】
別の変形では、第１のノードはハンドセットを含み、第２のノードは論理的セルラ基地局システムを含み、第２の通信システムは無線ローカルエリアネットワーク（ＷＬＡＮ）である。１つのかかる変形では、ハンドセットはＬＴＥユーザ機器（ＵＥ）を含み、ＷＬＡＮ  ＡＰは論理ＬＴＥエンハンスドノードＢ（ｅＮＢ）を含む。セルラネットワークはＬＴＥ  ４Ｇシステムを含み、第２の通信システムはＷＬＡＮネットワークを含む。別のかかる変形では、分割はＬＴＥプロトコルスタックの無線リンク制御（ＲＬＣ）層と媒体アクセス制御（ＭＡＣ）層の間で行う。
【００１２】
更に別の変形では、第２の通信システムは安全でないオープンモードの層の第１の部分と層の第２の部分の間にアクセストンネルを与える。
更に別の変形では、第２の通信システムは安全なクローズドモードの層の第１の部分と層の第２の部分の間にアクセストンネルを与える。
【００１３】
別の例示の変形では、第１のノードはＷｉ-Ｆｉオーバーロングタームエボリューション（ＷｏＬＴＥＮ）ソフトウエアアプリケーションを実行するよう構成される。１つのかかる変形では、第２のノードはネットワークＷｏＬＴＥＮエージェントアプリケーションを実行するよう構成される。ある実施の形態では、ＷｏＬＴＥＮ専用の制御チャネルはＷｏＬＴＥＮソフトウエアアプリケーションとＷｏＬＴＥＮエージェントの間に存在する。更に、ＷｏＬＴＥＮソフトウエアアプリケーションは多重化および逆多重化（ＭＵＸ／ＤｅＭＵＸ）バッファを含んでよく、および／またはＷｏＬＴＥＮエージェントアプリケーションは多重化および逆多重化（ＭＵＸ／ＤｅＭＵＸ）バッファを含んでよい
【００１４】
更に別の変形では、第２のノードは１台以上のハンドセットと通信するよう更に構成される。
更に別の変形では、第２の通信システムは第１の通信システムの第１のノードＲＬＣ層と第２のノードＲＬＣ層の間にアクセストンネルを与える。
【００１５】
別の態様では、ネットワーク（例えば、コアネットワーク）に接続性を与えるよう構成される無線ルータ機器を開示する。１つの実施の形態では、この無線ルータ機器は、第１の無線技術に関連するコアネットワークに接続するよう構成されるネットワークインターフェースと、第２の無線技術とは異なる第１の無線技術に従ってオープン無線ネットワークを与えるよう構成される無線インターフェースと、プロセッサと、プロセッサとデータ通信を行う持続性コンピュータ読み取り可能媒体とを含む。１つの例示の実施の形態では、持続性コンピュータ読み取り可能媒体は１つ以上の命令を含み、プロセッサがこれを実行すると、無線ルータ機器は、オープン無線ネットワークに接続する加入者装置からコアネットワークのための１つ以上のトランザクションを受けたとき、受けた１つ以上のトランザクションをコアネットワークに引き渡すために変換する。
【００１６】
１つの変形では、無線ルータ機器は多重データパイプインスタンス（ｉｎｓｔａｎｃｅ）を支援するよう構成されるバッファを含む。
別の変形では、無線インターフェースは無線ローカルエリアネットワーク（ＷＬＡＮ）にアクセスできるよう構成され、またネットワークインターフェースは１つ以上のロングタームエボリューション（ＬＴＥ）セルラデータネットワークに接続するよう構成される。
別の変形では、１つ以上のトランザクションは加入者装置をコアネットワークに識別するよう構成されるアクセス制御情報を含む。
更に別の変形では、変換は仮想化された物理層と１つ以上の媒体アクセス制御（ＭＡＣ）層の間の相互作用のエミュレーションを含む。
【００１７】
無線ルータを介してコアネットワークに接続するよう構成される加入者装置も開示する。１つの実施の形態では、加入者装置は、コアネットワークに接続するよう構成される無線ルータに接続するよう構成される無線インターフェースと、プロセッサと、持続性コンピュータ読み取り可能機器とを含む。１つの例示の実施の形態では、持続性コンピュータ読み取り可能媒体は１つ以上の命令を含み、プロセッサがこれを実行すると、加入者装置は無線ルータへのコアネットワークの論理エンティティのために１つ以上のデータペイロードを処理し、１つ以上のデータペイロードはコアネットワークが必要とする少なくとも１つの物理層または媒体アクセス制御層パラメータを含まない。
【００１８】
１つの変形では、１つ以上のデータペイロードは、第１のネットワークと安全な通信を確立するために構成される暗号化チャレンジ／レスポンステストを含む。
本開示の他の特徴および利点は、添付の図面と以下に示す例示の実施の形態の詳細な記述を参照すれば、当業者に直ちに認識されよう。
【図面の簡単な説明】
【００１９】
【図１】１つの先行技術の３ＧＰＰリリース８ネットワーク構造のブロック図である。
【図２】Ｗｉ-Ｆｉオーバーロングタームエボリューション（ＷｏＬＴＥＮ）ネットワーク構造の１つの例示の実施の形態のブロック図である。
【図３】ここに記述する種々の原理に従ってコアネットワークにハイブリッドアクセスを行うよう構成される１つの例示の無線ルータの論理的ブロック図である。
【図４】ここに記述する種々の原理に従ってハイブリッドアクセス方式を介してコアネットワークにアクセスするよう構成される１つの例示の加入者装置の論理的ブロック図である。
【図５】本開示の種々の態様に関して有用なＩＥＥＥ８０２．１１ｎ  ＰＨＹ（Ｌ１）およびＭＡＣ（Ｌ２）プロトコルスタックを表わす論理的ブロック図である。
【図６】例示の無線ルータ（例えば、図３に示すもの）および例示の加入者装置（例えば、図４に示すもの）により形成されるＷｉ-Ｆｉ  ＰＩＰＥの論理的表現である。
【図７】先行技術のＬＴＥ無線構造の複数の論理、転送および物理チャネルの論理的ソフトウエア図表現である。
【図８】先行技術のＬＴＥソフトウエアユーザ平面プロトコルスタックの論理的ソフトウエア図表現である。
【図９】先行技術のＬＴＥソフトウエア制御平面プロトコルスタックの論理的ソフトウエア図表現である。
【図１０】本開示の種々の態様に従う、ユーザ設備（ＵＥ）とエボルブドＮｏｄｅＢ（ｅＮＢ）の間で動作するＬＴＥ無線ユーザ平面プロトコルスタックおよびその修正の1つの例示の実施の形態を示す論理的ソフトウエア図である。
【図１１】本開示の種々の態様に従う、ユーザ設備（ＵＥ）とエボルブドＮｏｄｅＢ（ｅＮＢ）の間で動作するＬＴＥ無線制御平面プロトコルスタックおよびその修正の1つの例示の実施の形態を示す論理的ソフトウエア図である。
【図１２】本開示の種々の態様に関して有用な、ＬＴＥ  ＭＡＣの概念構造の1つの例示の実施の形態を示す論理的ソフトウエア図である。
【図１３】加入者装置および無線ルータのための全プロトコルスタック構造（ユーザ平面および制御平面）の論理的ソフトウエア図表現である。
【図１４】移動性管理セッションの発見、開始、および構成のための1つの一般化されたプロセスの論理的流れ図である。
【図１５】加入者装置上で実行される1つの例示のＷｏＬＴＥＮアプリケーション（ＡＰＰ）のＷｉ-Ｆｉオーバーロングタームエボリューション（ＷｏＬＴＥＮ）接続の開始を示す論理的流れ図である。
【図１６】無線ルータ上で実行される1つの例示のＷｏＬＴＥＮエージェントのＷｉ-Ｆｉオーバーロングタームエボリューション（ＷｏＬＴＥＮ）接続の開始を示す論理的流れ図である。
【発明を実施するための形態】
【００２０】
（開示の詳細な説明）
以下に図面を参照する。図を通して、同じ番号は同じ部分を指す。
（概観）
コアネットワークなどのネットワークへのハイブリッドアクセスの方法および機器を開示する。１つの例示の実施の形態では、新規な「アクセストンネル」（例えば、いわゆる「Ｗｉ-Ｆｉ  ＰＩＰＥ」）により、中間ネットワーク（例えば、Ｗｉ-Ｆｉネットワーク）を介して加入者装置をコアネットワークに接触させることができる。１つの実施の形態では、無線ルータは、既存のネットワークエンティティ（例えば、エボルブドＮｏｄｅＢ（ｅＮＢ））と同様の（または同一の）プロトコルを用いて、コアネットワークに直接接続するよう構成される。後で詳細に説明するが、例示のＷｉ-Ｆｉアクセスポイント（ＡＰ）はロングタームエボリューション（ＬＴＥ）ネットワークへのアクセスを提供する。加入者装置と無線ルータはＷｉ-Ｆｉ  ＰＩＰＥを介して接続する。無線ルータは変換プロセス（例えば、ユーザ機器（ＵＥ）媒体アクセス制御（ＭＡＣ）、仮想物理層（ＶＰＨＹ）、およびアクセスポイント（ＡＰ）ＭＡＣ）を行うことにより、加入者装置をＬＴＥコアネットワークに継ぎ目なく接続する。
ここに開示する実施の形態の種々の他の利点について、以下に一層詳細に説明する。
【００２１】
（例示の実施の形態の詳細な説明）
本開示の例示の実施の形態について以下に詳細に説明する。これらの実施の形態は主として第4世代ロングタームエボリューション（４Ｇ  ＬＴＥまたはＬＴＥ−Ａ）無線ネットワークとＷｉ-Ｆｉホットスポット（ＩＥＥＥ８０２．１１ｎ）動作との組合せの文脈で説明するが、当業者が認識するように、本開示はこれに制限されるものではない。実際に、本開示の種々の態様は、ここに述べる無線ルーティングを利用することが可能ないかなる無線ネットワークでも有用である。
【００２２】
ここで用いる用語「無線」は、任意の無線信号、データ、通信、または他のインターフェースを意味し、制限なしに、Ｗｉ-Ｆｉ（ＩＥＥＥ８０２．１１および「ｂ」，「ａ」、「ｇ」、「ｎ」、「ａｃ」などの派生規格）、ブルートウース、３Ｇ（例えば、３ＧＰＰ、３ＧＰＰ２、およびＵＭＴＳ）、４Ｇ（ＬＴＥ、ＬＴＥ−Ａ、ＷｉＭａｘ）、ＨＳＤＰＡ／ＨＳＵＰＡ、ＴＤＭＡ、ＣＤＭＡ（例えば、ＩＳ−９５Ａ、ＷＣＤＭＡ（登録商標）など）、ＦＨＳＳ、ＤＳＳＳ、ＧＳＭ（登録商標）、ＰＡＮ／８０２．１５、ＷｉＭＡＸ（８０２．１６）、８０２．２０、狭帯域／ＦＤＭＡ、ＯＦＤＭ、ＰＣＳ／ＤＣＳ、アナログセルラ、ＣＤＰＤ、衛星システム、ミリ波またはマイクロ波システム、音響、および赤外線（すなわち、ＩｒＤＡ）を含む。
【００２３】
更に、ここで用いる用語「ネットワーク」は、一般に任意のタイプのデータ、電気通信、または他のネットワークを指し、制限なしに、データネットワーク（ＭＡＮ、ＰＡＮ、ＷＡＮ、ＬＡＮ、ＷＬＡＮ、マイクロネット、ピコネット、インターネット、およびイントラネットを含む）、衛星ネットワーク、セルラネットワーク、およびテルコネットワークを含む。
【００２４】
（ハイブリッドアクセスのための既存の解）
過去において、バックホールとインドアカバレッジはネットワークオペレータにとって２大「苦痛点」であった。最近では、移動体ネットワークのデータ容量が課題になっている。データ容量を増やすと共にネットワークオペレータの時間および支出を節約するという解は利益が大きい。ネットワークオペレータが自分自身のネットワークにＷｉ-Ｆｉを採用することに抵抗してきたにもかかわらず、データ容量の問題に対する合理的な解にはＷｉ-Ｆｉの統合が必要であることが今や明らかになった。
【００２５】
話が少し逸れるが、スペクトル（またはバンド幅）はネットワークオペレータにとって希少かつ高価な資源コストである。多くのネットワークオペレータは〜１０−２０ＭＨｚのバンド幅（最大で）を有するが、Ｗｉ-Ｆｉネットワークは数百ＭＨｚのスペクトルにわたる無免許周波数バンド内で動作する。産業科学医療（ＩＳＭ  ２．４ＧＨｚ）および無免許全米情報基盤（Ｕ-ＮＩＩ  ５ＧＨｚ）バンドを支援するＷｉ-ＦｉシステムはＩＳＭでは約８０ＭＨｚの、Ｕ-ＮＩＩバンドでは４５０ＭＨｚ（屋外バンドを除く）のスペクトルにアクセスすることができる。最初、ネットワークオペレータは、免許なし（免除）スペクトルの可用性および質とユーザの経験への負の影響の可能性とについて心配したが、無免許技術（Ｗｉ-Ｆｉなど）は混雑した不利なシナリオでも安定かつ効果的な接続性を絶えず提供した。
【００２６】
セルラ技術とは異なり、大部分の既存のＷｉ-Ｆｉ製品はアドホック展開に基づいている。Ｗｉ-Ｆｉネットワークは、アドホック展開を可能にするように特に設
計された衝突回避（ＣＳＭＡ／ＣＡ）および競合なし（ポイント協調機能（ＰＣＦ））を持つキャリア検知多重アクセス、または分散協調機能（ＤＣＦ））媒体アクセス制御（ＭＡＣ）プロトコルを用いる。アドホック展開は、ネットワークの計画、展開、および保全についてのネットワークオペレータの負担を軽減する。
【００２７】
更に、最初、セルラ技術はより平等主義的なビジネスモデルを支援する（例えば、多数の加入者に比較的低レートの音声能力を提供する）よう設計されたが、Ｗｉ-Ｆｉ技術は最初から高い処理能力を支援するよう設計された。既存のＷｉ-Ｆｉ装置は一般に３００Ｍビット／秒を超えるデータレートが可能である。将来の修正版はＧビット／秒のデータレートを約束する。
Ｗｉ-Ｆｉ技術および装置は１０年以上にわたって製作され、構成要素は商品化されて比較的低コストで利用できる。多くの既存の消費者装置はすでにＷｉ-Ｆｉ技術を組み込んでおり、機器のコストが非常に低いので（ネットワークオペレータと加入者の双方にとって）、展開に対する大きな障害ではない。
【００２８】
少なくとも上に述べた理由から、いわゆる「ティア１」オペレータ（例えば、ＡＴ＆Ｔ（Ｒ）およびＶｅｒｉｚｏｎ（Ｒ））は最近および将来の標準展開（例えば、第３世代パートナーシッププロジェクト（３ＧＰＰ）のリリース１２）においてＷｉ-Ｆｉとコアネットワークとの統合を要求した。特定すると、ネットワークオペレータはＷｉ-Ｆｉが、（ａ）データトラフィックのオフローディングと（ｂ）サービスエリアの改善のための相補形通信システムとして適用可能性を有すると結論した。より直接的に、Ｗｉ-Ｆｉオフローディングは交通渋滞を緩和することができる。なぜなら、Ｗｉ-Ｆｉに利用可能なスペクトルがネットワークオペレータのスペクトルを超えるからである。更に、Ｗｉ-Ｆｉは費用有効性が高く、同等の小型セル方式と比較すると、「カバーしにくい」領域（例えば、屋内）のためのネットワーク計画および動作を必要としない。このため、多くの新しい小型セル基地局（いわゆる３Ｇ用の「ＮｏｄｅＢ」および４Ｇ  ＬＴＥ用のエボルブドＮｏｄｅＢ（ｅＮｏｄｅＢまたはｅＮＢ））は、Ｗｉ-Ｆｉアクセスポイント（ＡＰ）機能を組み込んでいる。
【００２９】
しかし、既存の解は実現上の複数の問題を抱えている。現在、Ｗｉ-Ｆｉサービスを提供するセルラネットワークはセルラネットワークとＷｉ-Ｆｉネットワークを、２つのネットワークを別個に動作させまた管理する２つの別個のビジネスユニットとして扱う。実施の観点から、動作およびサービスのレベルで２つのネットワーク間の統合および相互作用はほとんどまたは全くない。更に、Ｗｉ-Ｆｉネットワークは、標準の「発見」、「選択」、およびアクセスの仕組みおよび手続きがないので問題である。このため加入者は、通常、かかるネットワークを見つけて用いるのが非常に困難であり、一時はサービス品質（ＱｏＳ）のサービスとポリシーがネットワークを通して一貫性がなくまたは保証されないことさえあった。一貫性のないサービスの提供は加入者がすぐ気付くので、顧客の満足に負の影響を与えることになる。
【００３０】
前に述べたように、Ｗｉ-Ｆｉネットワークは、伝統的なユーザ名／パスワードのパラダイムに基づくＷＩＳＰｒ（または同等の変形）などのウエブベースの認証に基づく。Ｗｉ-Ｆｉに加入者識別モジュール（ＳＩＭ）動作（例えば、拡張可能な認証プロトコル認証キー協定（ＥＡＰ−ＡＫＡ）の支援）を実現するにはいくつかの大きな障害があるにもかかわらず、Ｗｉ-Ｆｉ  ＳＩＭ／ＵＳＩＭベースの認証を用いたオペレータがいる（Ｓｗｉｓｓｃｏｍ（Ｒ）など）。同様に、Ｃｉｓｃｏ（Ｒ）は所有者解を有し（例えば、集団サービスルータ（ＡＳＲ）シリーズの製品やネットワーク管理のためのＣｉｓｃｏ  Ｐｒｉｍｅ（Ｒ）に基づくもの）、またＡｌｃａｔｅｌ−Ｌｕｃｅｎｔ（Ｒ）（例えば、光無線Ｗｉ-Ｆｉ／ＷＬＡＮゲートウエイ）およびＥｒｉｃｓｓｏｎ（Ｒ）（例えば、サービスを意識した課金および制御（ＳＡＣＣ））およびＷｉ-Ｆｉオフローディング解としてのそのネットワーク統合Ｗｉ-Ｆｉ解も同じである。
【００３１】
それにもかかわらず、これらの解でもＷｉ-Ｆｉネットワークはセルラネットワークとは別個のエンティティである。この区別のためセキュリティレベルおよびユーザ経験が異なり、オペレータは多数のネットワークおよび相互作用エンティティにおいて追加の投資を伴う２つの別個の異なるネットワークを管理する必要がしばしばある。例えば、解に従って、Ｗｉ-ＦｉのためのＥＡＰ−ＳＩＭおよびＥＡＰ−ＡＫＡおよびルーティングアルゴリズムなど（クライアントベースのＩＰフロー移動性およびシームレスオフロード（ＩＦＯＭ）など）の新しいまたは修正されたハンドセット機能エンティティが必要になろう。
【００３２】
Ｗｉ-Ｆｉセルラ相互運用の進化の簡単な歴史を述べる。３ＧＰＰリリース６では、相互作用−ＷＬＡＮ（Ｉ−ＷＬＡＮ）標準が主としてＷｉ-Ｆｉネットワークと３Ｇネットワークとの統合のために導入された。この初期の標準はＷｉ-Ｆｉまたは３Ｇネットワークを通るＩＰデータを支援し、多数の新しいネットワークエンティティを必要とした（例えば、無線ロカルエリアネットワーク（ＷＬＡＮ）アクセスゲートウエイ（ＷＡＧ）、パケットデータゲートウエイ（ＰＤＧ）、認証許可およびアカウンティング（ＡＡＡ）サーバおよびホームエージェント（ＨＡ））。この標準はネットワークオペレータから受け入れられなかったが、Ｉ−ＷＬＡＮは３ＧＰＰリリース８においてロングタームエボリューション（ＬＴＥ）コアネットワーク（エボルブドパケットコア（ＥＰＣ）とも呼ぶ）と一層緊密に統合された。
【００３３】
図１は先行技術の３ＧＰＰリリース８ネットワーク構造１００を示す。図に示すように、３ＧＰＰリリース８は３ＧＰＰコアネットワーク（ＥＰＣ）内に３つのネットワーク構成要素を導入した。すなわち、エボルブドパケットデータゲートウエイ（ｅＰＤＧ）１０２と、認証許可およびアカウンティング（ＡＡＡ）サーバ１０４と、アクセスネットワーク発見および選択機能（ＡＮＤＳＦ）１０６とである。Ｗｉ-Ｆｉネットワーク内のいくつかの既存のネットワークエンティティも追加の機能性（移動性／コントローラゲートウエイ１０８など）を組み込むよう修正または適応された。図に示すように、Ｗｉ-Ｆｉ  ＡＰ１１６はＩＥＥＥ８０２．１１ｎ標準に準拠する従来型のＩＥＥＥ８０２．１１ｎ  ＡＰである。動作中は、Ｗｉ-Ｆｉ  ＡＰ１１６は移動性／コントローラゲートウエイ１０８に接続して制御され、これはｅＰＤＧ１０２を介してＥＰＣに統合される。ＵＥ１１４はまた、クライアントベースの移動体ＩＰおよびＷｉ-Ｆｉオフローディングのためのクライアントベースの移動体ＩＰおよびＩＰフロー移動性を支援するための対応する機能性、ならびに、発見、選択、結合、およびＷｉ-Ｆｉ  ＡＰ１１６を介したＳＩＭベースの認証および暗号化を支援する機能を必要とする。
【００３４】
図１の構造は、いわゆる「ノントラステッドアクセス」を可能にする。特定すると、ＡＡＡサーバ１０４（これはホーム加入者サーバ（ＨＳＳ）１１０にも接続する）を含むことにより、ＥＡＰ−ＡＫＡによるＷｉ-Ｆｉ加入者装置のＳＩＭベースの認証が可能になる。パケットデータゲートウエイ（ＰＤＧ）（以前にリリース６で導入された）は３ＧＰＰリリース８でエボルブドＰＤＧ（ｅＰＤＧ）１０２として再定義された。図に示すように、ｅＰＤＧ１０２はパケットデータネットワーク（ＰＤＮ）ゲートウエイ（Ｐ−ＧＷ）１１２に直接接続してＷｉ-ＦｉのためのＩＰ移動性を支援する。図１の構造において、ユーザ設備（ＵＥ）１１４は自分自身とｅＰＤＧ１０２の間にインターネットプロトコルセキュリティ（ＩＰｓｅｃ）トンネルを確立するよう構成される（中間のネットワーク構成要素はノントラステッドエンティティなので、この方式はノントラステッドアクセスを与える）。中間のネットワーク構成要素はノントラステッドなので、ＵＥ１１４はｅＰＤＧ１０２へのＩＰｓｅｃトンネルを確立しなければならない。これはかなり処理の重荷になる可能性がある。なぜなら、ｅＰＤＧはＵＥ毎に別々のＩＰｓｅｃトンネルを支援しまた保全しなければならないからである。
【００３５】
３ＧＰＰリリース１０はネットワーク構造１００を保持し、かつ「トラステッド」アクセスネットワーク動作を可能にするＳ２ａベースの移動性オーバー一般パケット無線サービス（ＧＰＲＳ）トンネリングプロトコル（ＳａＭＯＧ）を導入した。リリース８とは異なり、リリース１０では、Ｗｉ-Ｆｉ  ＡＰ１１６とＰ−ＧＷ１１２の間にＩＰｓｅｃトンネルを設定する。この構成はｅＰＤＧ１０２での大きな（バンド幅）ＩＰｓｅｃトンネルを緩和する。しかし、ＩＰｓｅｃトンネルはＷｉ-Ｆｉ無線インターフェースまで延びないので、エアインターフェースは別の仕組み（例えば、ＨｏｔＳｐｏｔ２．０（ＩＥＥＥ８０２．１１ｉ）標準で保護しなければならない。
【００３６】
図１の文脈内で、異なるサービスおよびＩＰ移動性に対する異なるサービス品質（ＱｏＳ）要求に対処するのに種々のオフローディングアルゴリズムを用いることができる。ＱｏＳベースのオフローディングについてはリリース１０で２つの機能、すなわち、マルチアクセスＰＤＮ接続性（ＭＡＰＣＯＮ）とＩＰフロー移動性（ＩＦＯＭ）、が指定されている。ネットワークオペレータは、例えば、ビジネス上の考慮などに基づいて、どちらかの方式を実現してよい。
【００３７】
ＭＡＰＣＯＮとＩＦＯＭの両方で、各プロトコルデータネットワーク（ＰＤＮ）に固有のＩＰアドレスが割り当てられる。各ＰＤＮは特定のサービスネットワークであって、現在の３ＧＰＰ構造内のインターネット、ＩＰマルチメディアサブシステム（ＩＭＳ）、ＩＰＴＶ、などを含むがこれらに限定されない。各ＰＤＮは更に、アクセスポイント名（ＡＰＮ）により識別される。更に、全てのＰＤＮはＷｉ-Ｆｉオフローディングネットワークに渡され、またはセルラネットワークに戻される。ＭＡＰＣＯＮにより、ＰＤＮ  ＱｏＳ要求またはネットワーク負荷に基づいてアクセスネットワークを選択することが可能になる。ＩＦＯＭはＭＡＰＣＯＮの更に高度のバージョンである。なぜなら、これにより所定のＰＤＮが複数のＩＰフローを有することができるので、ＱｏＳに基づくパフォーマンスが更に改善され最適になるからである。リリース１０では、各ＰＤＮは２つのＩＰアドレスに関連し（１つはセルラネットワークへの、１つはＷｉ-Ｆｉのネットワークへのアクセス用）、両方のネットワークを通して同時アクセスが可能である。
【００３８】
Ｗｉ-Ｆｉネットワークと３ＧＰＰセルラネットワークとの統合を完全にするため、標準の自動化されたネットワーク「発見」、「選択」、および「結合」、および「ポリシー制御」枠組みがＷｉ-Ｆｉネットワークに要求された。既存のネットワーク構造１００は上に述べた機能性に、アクセスネットワーク発見および選択機能（ＡＮＤＳＦ）１０６およびＨｏｔｓｐｏｔ２．０を与える。ＡＮＤＳＦはクライアント・サーバベースのポリシー制御解を提供し、Ｈｏｔｓｐｏｔ２．０はＥＡＰ−ＳＩＭおよびＥＡＰ−ＡＫＡベースの認証をＷｉ-Ｆｉネットワークに提供する（例えば、Ｗｉ-Ｆｉエアインターフェースを介する発見、選択、およびネットワークオペレータとの結合）。
【００３９】
Ｗｉ-Ｆｉオーバーロングタームエボリューション（ＷｏＬＴＥＮ）ネットワーク構造の例
これまでの努力にも関わらず、セルラとＷｉ-Ｆｉのエコシステムを結合するための既存の解では引き続き種々の問題が発生した。特定すると、セルラ／Ｗｉ-Ｆｉ統合のための提案された３ＧＰＰ解は「全体論的」ではない。提案された解はネットワーク要素全体に広がる特殊化されたおよび／または修正された機能的エンティティの寄せ集めである。得られた解は複雑で、不完全で、実現困難で、拡張性がない。これらの比較的複雑で費用のかかる解の１つに大きな投資を行っても、ネットワークオペレータはまだ、（１）２つの異なるネットワークを動作させまた保全し、また（２）ネットワーク間の異なるユーザ経験（例えば、セキュリティおよびＱｏＳ）を解決しなければならない。
【００４０】
更に、これらの解が対処できない他の問題がある。例えば、リリース１０提案（例えば、ＳａＭＯＧ、ＭＡＰＣＯＮ、ＩＦＯＭ、ＡＮＤＳＦ、およびＨｏｔＳｐｏｔ２．０）ではＷｉ-Ｆｉネットワークが「トラステッドネットワーク」である必要がある。実際の実現はネットワークオペレータが所有する必要がある可能性が高い。かかる制限は（明白に述べなくても）望ましい機能（例えば、Ｗｉ-Ｆｉローミング、ニュートラルホスト動作など）を除外し、Ｗｉ-Ｆｉネットワークの展開シナリオを制限する。特に、独立のオペレータの中には（Ｂｏｉｎｇｏ（Ｒ）など）、Ｗｉ-Ｆｉを用いてネットワークを無免許バンド内に出すものがある。
【００４１】
現在の解はセルラネットワーク（例えば、３ＧＰＰ）とＷｉ-Ｆｉネットワークの或るレベルの統合および共存を提供する。しかし、かかる解はしばしば複雑で、高価で、動作および保全を行うオペレータ側にかなりの努力を要求する。実際に、米国（ＵＳＡ）内で上述のネットワーク構造を採用しているオペレータは１社（ＡＴ＆Ｔ）だけである。
【００４２】
このため、本開示の種々の実施の形態はコアネットワークへのハイブリッドアクセスの方法および機器に向けられる。理想的な解は、両方のネットワークにおいて継ぎ目なく機能的に同じものである（例えば、ユーザ経験、ポリシー制御、発見、選択、結合、認証、およびＱｏＳなど）。更に、かかる実施の形態はＷｉ-Ｆｉローミング、Ｗｉ-Ｆｉニュートラルホスト機能、およびＩＰ移動性のための手段を提供すると共に、統合されたセルラ／Ｗｉ-Ｆｉネットワークのためのネットワークハンドオフを支援しなければならない。
【００４３】
Ｗｉ-Ｆｉ統合への現在の取り組みは、例えば、新しい機能的エンティティを追加したり既存のものの一部を修正したりして、既存の３ＧＰＰおよびＷｉ-Ｆｉネットワークを漸進的に変化させることに依存している。対照的に、優先される解は、望ましいレベルの統合を達成するのにＷｉ-Ｆｉ  ＡＰおよびＵＥで機能性を修正するのではなく、既存の３ＧＰＰネットワーク上に（すなわち、３ＧＰＰコアネットワーク（例えば、４Ｇ  ＬＴＥネットワーク内のＥＰＣ）が全くまたはほとんど変化しないところに）建設しなければならない。したがって、コアネットワーク内の変化を最小にしてＷｉ-Ｆｉと３ＧＰＰネットワークとの全体的な統合を可能にするよう構成される（エンドユーザに透明に）、ＵＥ内のミドルウエアソフトウエアと共にＷｉ-Ｆｉ  ＡＰ機能性を修正する、種々の解を開示する。
【００４４】
以下の議論は、３ＧＰＰで承認されたＦＤＤ認可バンド内で動作する４Ｇ−ＬＴＥ（周波数分割二重通信（ＦＤＤ））ネットワークを提供する３ＧＰＰコアネットワークの文脈内で提示するが、理解されるように、記述する原理は、本開示の内容が与えられれば、当業者が他のネットワーク技術に容易に適用できるものである。３ＧＰＰネットワーク技術の他の例は、制限なしに、３Ｇ  ＷＣＤＭＡ／ＵＭＴＳ／ＨＳＰＡ、２Ｇおよび２．５Ｇ  ＧＳＭ−ＧＰＲＳネットワーク、ならびにＦＤＤおよびＴＤＤセルラシステムを含む。
【００４５】
以下の議論はＩＥＥＥ８０２．１１ｎ  アクセスポイント（ＡＰ）技術の文脈内で提示するが、理解されるように、ここに記述する原理は、本開示の内容が与えられれば、当業者が他のネットワーク技術に容易に適用できるものである。適当なアクセス技術の他の例は、例えば、ＩＥＥＥ８０２．１１の「ｂ」、「ｇ」、「ａ」、「ａｃ」などの派生規格、周波数ホッピングスペクトル拡散（ＦＨＳＳ）、直接シーケンススペクトル拡散（ＤＳＳＳ）、および赤外線（ＩＲ）を含む。
【００４６】
図２はネットワーク構造２００の１つの例示の実施の形態を示す。以下にこれをＷｏＬＴＥＮネットワーク（Ｗｉ-Ｆｉオーバーロングタームエボリューション（ＬＴＥ）ネットワーク）と呼ぶ。図に示す実施の形態では、エボルブドパケットコア（ＥＰＣ）２０２内での修正はほとんどまたは全く必要ない。代わりに、Ｗｉ-Ｆｉ  ＡＰ２０４およびＵＥ２０６のソフトウエア機能性は無線動作における違い（例えば、セルラとＩＥＥＥ８０２．１１の動作との違い）に適応するよう構成される。図に示すＷｏＬＴＥＮネットワークでは、Ｗｉ-Ｆｉ  ＡＰ２０４はＥＰＣ２０２のセキュリティゲートウエイ２０８に直接接続し、ネットワーク内のｅＮＢ２１０と同じ優先権およびセキュリティを有する（すなわち、「トラステッド」ＡＰである）ものとして扱われる。他の実施の形態（図示せず）では、セキュリティゲートウエイ２０８はＨｅＮＢゲートウエイまたはローカルゲートウエイ、または同等の安全なゲートウエイエンティティに直接接続する。或る変形では、Ｗｉ-Ｆｉ  ＡＰは移動性／コントローラゲートウエイ２１２にも接続して従来型のＷｉ-Ｆｉ  ＡＰとして機能してよい（例えば、レガシー装置への支援を提供するなど）。レガシー動作は既存の提案と同様である（例えば、図１のネットワーク構造を参照のこと。これ以上は説明しない）。
【００４７】
ＷｏＬＴＥＮ動作中、ＩＥＥＥ８０２．１１ｎに関連する下の層（すなわち、物理（ＰＨＹ）層および媒体アクセス制御（ＭＡＣ）層）の多くは既存のＩＥＥＥ８０２．１１ｎの実現と実質的に同じである。或る実施の形態では、リンク層制御（ＬＬＣ）層を除外する。他の変形では、ＬＬＣ層を含んでよい。しかし、本開示の種々の実施の形態では、ＭＡＣ層の上のＬＴＥに特定の機能性は可能になる。特定すると、加入者装置はＭＡＣ層の上の論理的ＬＴＥユーザ機器（ＵＥ）として機能する。同様に、Ｗｉ-Ｆｉ  ＡＰはＭＡＣ層の上の論理的ＬＴＥエボルブドＮｏｄｅＢ（ｅＮＢ）として機能する。下の層の物理的機能性への依存をＬＴＥの上の層の機能性から除くことにより、Ｗｉ-Ｆｉオフローディングアルゴリズムは適当な考慮（例えば、接続性、電力消費、データ要求など）に基づいてどちらかの無線アクセス技術（例えば、ＬＴＥかＷｉ-Ｆｉか）を自由に選択することができる。
【００４８】
例えば、以下に詳細に説明するが、図２のＷｏＬＴＥＮネットワークではＬＴＥユニバーサル加入者識別モジュール（ＵＳＩＭ）（例えば、拡張可能認証プロトコル認証キー協定（ＥＡＰ−ＡＫＡ）に基づく）での認証が可能になるので、それ自体、Ｗｉ-Ｆｉネットワークは「オープンシステム認証」モード（すなわち、Ｗｉ-Ｆｉアクセスは統合ネットワークへのアクセスのための認証情報を必要としない）の下で動作することができる。単一のＵＳＩＭがＬＴＥネットワークにもＷｉ-Ｆｉネットワークにも用いられるので、Ｗｉ-Ｆｉオフローディング選択アルゴリズムはＵＥ（ＵＥベースの）２０６内またはネットワーク内（例えば、ＭＭＥ２１４）または両方内に常駐してよく、各無線アクセスユニットへの負荷および／または無線の条件や、提供されるサービスのサービス品質（ＱｏＳ）などの多くの考慮に基づくことができる。１つのかかる例では、ＵＥベースのアルゴリズムはＷｉ-Ｆｉアクセスの使用を優先してよく、Ｗｉ-Ｆｉアクセスが利用できない場合は、ＵＥはＬＴＥアクセスに戻る。
【００４９】
更に、Ｗｉ-Ｆｉ  ＡＰ２０４はＷｏＬＴＥＮネットワークエンティティによりｅＮＢエンティティとして扱われるので、ポリシーおよび課金規則機能（ＰＣＲＦ）２１６はｅＮＢベアラおよび適当に可能なＷｉ-Ｆｉ  ＡＰについて同じポリシーおよび課金規則を用いることができる。或る実施の形態では、オペレータは２つのアクセスユニット（ＬＥＴ  ｅＮＢおよびＷｉ-Ｆｉ  ＡＰ）について異なるポリシーおよび課金規則を有することを優先してよい。
【００５０】
無線ルータの例
以下に詳細に説明するが（例えば、以下の「加入者装置の例」を参照のこと）、本開示の種々の実施の形態は加入者ＵＥ（ＵＥ−Ｓ）装置内にあるミドルウエアソフトウエアに関連して用いてよい。或る実施の形態では、ミドルウエアソフトウエアは（例えば、ユーザが）ダウンロードしてよい。または、ミドルウエアソフトウエアは装置の製作中にプレロードしてよい。更に別の実施の形態では、本開示の種々の実施の形態は、適当な機能性を支援するための特殊化されたハードウエアを含む加入者装置に関連して用いてよい。
【００５１】
次に図３は、コアネットワークにハイブリッドアクセスを与えるよう構成された１つの例示の無線ルータ３００を示す。
１つの実施の形態では、無線ルータ３００は独立型の装置であるが、当業者が認識するように、ここに述べる機能性は種々の装置（基地局（例えば、ロングタームエボリューション（ＬＴＥ）エボルブドＮｏｄｅＢ（ｅＮＢ）など、ポータブルコンピュータ、デスクトップコンピュータなどを制限なしに含む）内に組み込んでよい。
【００５２】
例示の機器３００は１枚以上の基板３０２を含み、基板３０２は更に、デジタル信号プロセッサ（ＤＳＰ）、マイクロプロセッサ、プログラマブル論理素子（ＰＬＤ）、ゲートアレイ、または複数の処理素子などの処理サブシステム（３０４）を含む複数の集積回路、ならびに、機器３００に電力を提供する電力管理サブシステム３０６、メモリサブシステム３０８、第１の無線モデムサブシステム３１０、およびイーサネットスイッチ３１２、および関連するイーサネットポートを含む。或る実施の形態では、ユーザ入出力（ＩＯ）３１４もあってよい。
【００５３】
或る事例では、処理サブシステムは内部キャッシュメモリも含んでよい。処理サブシステム３０４は、持続性コンピュータ読み取り可能メモリ（例えば、ＳＲＡＭ、フラッシュ、およびＳＤＲＡＭ素子を含んでよい）を含むメモリサブシステム３０８に接続する。メモリサブシステムは１個以上のＤＭＡタイプのハードウエアを実装して、この技術で周知のように、データアクセスを容易にしてよい。通常動作中は、処理システムはメモリ内に記憶されている１つ以上の命令を読み取り、また読み取った命令に基づいて１つ以上の活動を実行する。
【００５４】
処理システム３０４は、第１の無線サブシステム３１０とコアネットワーク接続性を同時に支援するのに十分な処理能力を有する。１つの例示の実施の形態では、無線ルータ３００は、既存の無線ルータ機能性を超えて処理サブシステム３０４上を走る（すなわち、レガシーＷｉ-Ｆｉ動作）追加の機能性（すなわち、上の層のＬＴＥプロトコルスタックおよび制御ソフトウエアを支援するよう修正されたＷｉ-Ｆｉプロトコルスタック）を提供するよう構成される。１つの例示の実施の形態では、プロセッササブシステム３０４は無線ルータの動作および制御のためのソフトウエアを実行するよう構成される。１つのかかる商業的な例はＢｒｏａｄｃｏｍ  ＢＣＭ４７０５プロセッサチップである。これは、プロセッサコアと、ＧＰＩＯ、ＲＳ２３２、ＵＡＲＴ、ＰＣＩ、ＧＭＩＩ、ＲＧＭＩＩ、ならびに、ＤＤＲ  ＳＤＲＡＭコントローラなどの多数のＩＯを含む。
【００５５】
図に示す電力管理サブシステム（ＰＭＳ）３０６は無線ルータ３００に電力を供給し、集積回路および／または複数の離散的電気構成要素を含んでよい。電力管理サブシステム３０６の一般的な例は、制限なしに、再充電可能な電池電源、および／または外部電源（例えば、壁ソケットや誘導充電器などからの）を含む。
【００５６】
ユーザＩＯ３１４は、制限なしに、ＬＥＤ光やスピーカなどの任意の数の周知のＩＯを含む。例えば、１つの事例では、接続状態を示すのに一組のＬＥＤを用いてよい（例えば、「緑」はオンライン状態を示し、「赤」は故障または接続問題を示すなど）。より複雑な実施の形態では、ＩＯは、キーパッド、タッチスクリーン（例えば、マルチタッチインターフェース）、ＬＣＤディスプレイ、バックライト、スピーカ、および／またはマイクロホン、または、他のＩＯ（ＵＳＢ、ＧＰＩＯ、ＲＳ２３２ＵＡＲＴ、ＰＣＩ、ＧＭＩＩ、ＲＧＭＩＩなど）を組み込んでよい。
【００５７】
第１の無線サブシステム３１０は１台以上の加入者装置を受ける無線ネットワークを生成するよう構成される。１つの例示の実施の形態では、生成された無線ネットワークは「オープン」ネットワークである。すなわち、生成された無線ネットワークはいかなるアクセス制御手段（例えば、認証、許可、またはアカウンティングなど）も必要としない。ここではオープンネットワーク動作と述べたが、認識されるように、アクセス制御方式はオープンである必要はない。リミテッドアクセスおよびクローズドアクセスを用いても同様に成功する。実際に、コアネットワークに接続するイーサネットスイッチ３１２および関連するイーサネットポート（後で詳細に説明する）を介して、無線サブシステム３１０の信用保証を入れて設定することができる。或る事例では、オープンネットワークは、いわゆる「アドホック」ネットワーキング、メッシュネットワーキングなどを組み込んでよい。
【００５８】
第１の無線サブシステムは無線ネットワークを生成するよう構成される。１つの例示の実施の形態では、第１の無線サブシステムはＷｉ-Ｆｉネットワークを生成する（ＩＥＥＥ、例えば、８０２．１１ｎなどに基づいて）。適当な無線技術の他の例として、制限なしに、ブルートウース、ＷｉＭＡＸ、などがある。
【００５９】
図３に示すように、第１のネットワークの多重入力多重出力（ＭＩＭＯ）動作を支援するための複数の（２個以上の）アンテナがある。明示していないが、認識されるように、各ＲＦフロントエンドは装置の無線サブシステムに必要な、例えば、フィルタ、デュプレクサ、ＲＦスイッチ、ＲＦ信号電力レベル監視、ＬＮＡ（低ノイズ増幅器）、およびＰＡ（電力増幅器）を含む。１つの例示の実施の形態では、第１の無線サブシステム３１０はＩＥＥＥ８０２．１１ｎモデムを構成して動作するのに必要な機能性を含む。このモデムは、トランシーバ部、ＰＨＹ（物理層）、およびＭＡＣ（媒体アクセスコントローラ）、ならびに、関連する制御および動作ソフトウエアを含む。かかるＲＦフロントエンドの１つの商業的な例はＢｒｏａｄｃｏｍ  ＩＥＥＥ８０２．１１ｎ単一チップ製品、ＢＣＭ４３２２、またはＢＣＭ４３２３である。
【００６０】
イーサネットスイッチ３１２および関連するイーサネットポートはコアネットワーク（例えば、ＥＰＣ２０２）に、および可能性として他のネットワークエンティティ（例えば、ｅＮＢ、ＨｅＮＥなど）にアクセスできるよう構成される。アクセスの他の一般的な形式は、例えば、デジタル加入者ライン（ＤＳＬ）、Ｔ１、統合デジタル通信サービスネットワーク（ＩＳＤＮ）、衛星リンク、データオーバーケーブルサービスインターフェース仕様（ＤＯＣＳＩＳ）ケーブルモデムなどを含む。イーサネットスイッチ３１２の１つの商業的な例は、最大５個のイーサネットポートを与えるＢｒｏａｄｃｏｍ  ＢＣＭ５３１１５チップである。１つの例示の実施の形態では、無線ルータはネットワークオペレータのコアネットワークに直接接続して、イーサネットスイッチ３１２を介して上に述べたＷｏＬＴＥＮ動作を可能にするよう構成される。
【００６１】
加入者装置の例
次に図４は、ハイブリッドアクセス方式（図３の無線ルータ３００を介した）を介してコアネットワークにアクセスするよう構成された１つの例示の加入者装置４００である。１つの実施の形態では加入者装置４００は専用の装置であるが、当業者が認識するように、ここに記述する機能性は各種の装置（制限なしに、スマートホン、ポータブルコンピュータ、デスクトップコンピュータ、および、Ｗｉ-Ｆｉ  ＩＥＥＥ８０２．１１ｎ通信用の唯一の無線モデムを備える独立型装置を含む）内に組み込んでよい。
【００６２】
例示の装置４００は複数の集積回路（デジタル信号プロセッサ（ＤＳＰ）、マイクロプロセッサ、プログラマブル論理素子（ＰＬＤ）、ゲートアレイ、または複数の処理素子などの処理サブシステム４０４を含む）、ならびに、装置４００に電力を供給する電力管理サブシステム４０６、メモリサブシステム４０８、および１つ以上の無線モデムサブシステムを更に含む、１枚以上の基板４０２を含む。図に示すように、例示の装置は４つの無線モデムサブシステムを含む。すなわち、ＬＴＥセルラエアインターフェース４１０Ａ、Ｗｉ-Ｆｉ  ＩＥＥＥ８０２．１１ｎエアインターフェース４１０Ｂ、ＧＰＳエアインターフェース４１０Ｃ、およびブルートウースエアインターフェース４１０Ｄである。或る実施の形態では、ユーザ入出力（ＩＯ）４１２も備えてよい。図に示すように、例示のユーザ入出力（ＩＯ）４１２は、スクリーンディスプレイ４１２Ａ、キーパッド４１２Ｂ、マイクロホンおよびスピーカ４１２Ｃ、オーディオコーデック４１２Ｄ、およびカメラ４１２Ｅを含む。その他の周辺機器は外部媒体インターフェース（例えば、ＳＤ／ＭＭＣカードインターフェースなど）および／またはセンサなどを含んでよい。
【００６３】
ある事例では、処理サブシステムは内部キャッシュメモリも含んでよい。処理サブシステム４０４はメモリサブシステム４０８に接続する。これは、例えば、ＳＲＡＭ、フラッシュ、およびＳＤＲＡＭ素子を含む持続性コンピュータ読み取り可能メモリを含む。メモリサブシステムは、この技術で周知のようにデータアクセスを容易にするため、１個以上のＤＭＡタイプのハードウエアで実現してよい。通常動作中は、処理システムはメモリ内に記憶されている１つ以上の命令を読み取り、また読み取った命令に基づいて１つ以上の活動を実行する。
【００６４】
無線ルータ３００（図３参照）の処理サブシステム３０４と同様に、図４の処理システム４０４（「アプリケーションプロセッサ」とも呼ぶ）は十分な処理能力を有し、メモリ素子にアクセスして、少なくとも、Ｗｉ-Ｆｉ無線サブシステム４１０Ｂとコアネットワークの接続性を同時に支援する。処理システム４０４の１つの商業的な例は、Ｆｒｅｅｓｃａｌｅ  ｉＭＸ５３  １ＧＨｚ  ＡＲＭ  Ｃｏｒｔｅｘ−Ａ８プロセッサ、またはＱＵＡＬＣＯＭＭ  Ｓｎａｐｄｒａｇｏｎ８００である。
【００６５】
図示した電力管理サブシステム（ＰＭＳ）４０６は加入者装置４００に電力を供給し、集積回路および／または複数の離散的電気構成要素を含んでよい。電力管理サブシステム４０６の一般的な例は、制限なしに、再充電可能な電池電源、および／または外部電源（例えば、壁ソケットや誘導充電器などからの）を含む。
【００６６】
ユーザＩＯ４１２は消費者エレクトロニクスに共通の、任意の数の周知のＩＯを含んでよく、制限なしに、キーパッド、タッチスクリーン（例えば、マルチタッチインターフェース）、ＬＣＤディスプレイ、バックライト、スピーカ、および／またはマイクロホン、またはＵＳＢおよび他のインターフェースを含む。
当業者が認識するように、加入者装置は多数の他の構成要素を有してよく（例えば、多数の追加の無線サブシステム、グラフィックスプロセッサなど）、上に述べたのは単なる例である。
【００６７】
セルラ無線サブシステム４１０Ａはネットワークオペレータが提供するセルラネットワークを結合するよう構成される。１つの実施の形態では、セルラ無線サブシステム４１０Ａは第４世代（４Ｇ）ロングタームエボリューション（ＬＴＥ）モデムである。明示しないが、認識されるように、各ＲＦフロントエンドは、装置の無線サブシステムに要求される、例えば、フィルタ、デュプレクサ、ＲＦスイッチ、ＲＦ信号電力レベル監視、ＬＮＡ、およびＰＡを含む。加入者装置４００は加入者装置をネットワークオペレータに確認する識別モジュールに関連する。
【００６８】
一般に、識別モジュールは、加入者装置（またはその装置に関連する加入者アカウント）がアクセスを認証され許可されていることを確実に識別する。識別モジュールの一般的な例は、制限なしに、ＳＩＭ、ＵＳＩＭ、ＲＵＩＭ、ＣＳＩＭなどを含む。或る事例では、識別モジュールは脱着可能（例えば、ＳＩＭカード）でよく、または装置の一体的部分（例えば、プログラムされた識別モジュールを内部に有する埋め込み要素）でよい。セルラ無線サブシステム４１０Ａの１つの商業的な例は、ＱＵＡＬＣＯＭＭ  Ｇｏｂｉ  ＭＤＭ９６００およびその関連するＲＦおよび周辺チップである。
【００６９】
Ｗｉ-Ｆｉ無線サブシステム４１０Ｂは、例えば、図３の無線ルータ３００が生成する無線ネットワークを結合するよう構成される。１つの実施の形態では、無線ネットワーク無線サブシステム４１０Ｂは、ＩＥＥＥ８０２．１１ｎ準拠のモデムである。明示しないが、認識されるように、各ＲＦフロントエンドは、装置の無線サブシステムに要求される、例えば、フィルタ、デュプレクサ、ＲＦスイッチ、ＲＦ信号電力レベル監視、ＬＮＡ、およびＰＡを含む。１つの例示の実施の形態では、Ｗｉ-Ｆｉ無線サブシステム４１０Ｂは、ＩＥＥＥ８０２．１１ｎ  ＰＨＹ（物理層）およびＭＡＣ（媒体アクセスコントローラ）ユニットの動作および制御ためのソフトウエア、ならびに、関連する制御および動作ソフトウエアを実行するよう構成される。Ｗｉ-Ｆｉ無線サブシステム４１０Ｂの１つの商業的な例は、Ａｔｈｅｒｏ単一チップＩＥＥＥ８０２．１１ｎ製品、ＡＲ９２８５である。
【００７０】
１つの例示の実施の形態では、加入者装置４００は更に、処理サブシステム４０４上で走る追加の機能性（すなわち上の層のＬＴＥプロトコルスタックおよび制御ソフトウエアを支援するよう修正されたＷｉ-Ｆｉプロトコルスタック）を提供するよう構成される。
【００７１】
「Ｗｉ-Ｆｉ  ＰＩＰＥ」の例
図５は、本開示の種々の態様に関して有用なＩＥＥＥ８０２．１１ｎ  ＰＨＹ（Ｌ１）およびＭＡＣ（Ｌ２）プロトコルスタック５００を表わす論理的ブロック図を示す。図に示すように、アプリケーションソフトウエア５０８はＭＡＣ層５０６の真上で動作する。認識されるように、他の変形は設計上の考慮に基づいて他のソフトウエア層（例えば、論理的リンク制御（ＬＬＣ）および／またはＩＰ層）を組み込んでよい。例示のＰＨＹはＵ−ＮＩＩバンド５０２またはＩＳＭバンド５０４で、または両方で、同時に動作することができる。
【００７２】
ＭＡＣ層５０６は、「競合」モードか「競合なし」モードのどちらかで動作するよう設定することができる。競合なし動作では、ＭＡＣはポイント協調機能（ＰＣＦ）を用い、競合モード動作中は、ＭＡＣは分散協調機能（ＤＣＦ）を用いる。他のＷｉ-Ｆｉ  ＭＡＣ機能は、登録、ハンドオフ、電力管理、セキュリティおよびサービス品質（ＱｏＳ）を含む。別段の言及がないときは、既存のＷｉ-Ｆｉ構成要素および機能性は関連する技術内であってよく理解されいているので、更には説明しない。
【００７３】
次に図６において、例示の無線ルータ３００（例えば、図３および以前の説明で述べたもの）および例示の加入者装置４００（例えば、図４および以前の説明で述べたもの）を考える。例示の加入者装置４００が例示のネットワーク不可知無線ルータ３００のサービスエリア内に入ってオープンネットワークに登録すると、加入者装置４００と無線ルータ３００の間の終端間ＭＡＣ接続は「透明な」接続パイプ（またはアクセストンネル）を形成する。以後はこれを「Ｗｉ-Ｆｉ  ＰＩＰＥ」６０２と呼ぶ。或る実施の形態では、Ｗｉ-Ｆｉ  ＰＩＰＥトンネル自体は不安全であり（例えば、ホットスポットが「オープン」Ｗｉ-Ｆｉネットワークとして機能する）、下にあるデータペイロードは、セルラ（ＬＴＥ）ネットワークの終端間で、および／または伝統的なアントラステッドネットワークで用いられるようなアプリケーション層などで用いられている、既存の暗号化方式により保護される。他の実施の形態では、Ｗｉ-Ｆｉ  ＰＩＰＥはクローズドネットワークを介して実現され、固有の暗号化など（ワイヤード等価プライバシー（ＷＥＰ）、Ｗｉ-Ｆｉ保護アクセス（ＷＰＡ）、ＷＰＡ２など）を組み込む。
【００７４】
Ｗｉ-Ｆｉ  ＰＩＰＥにより、第１のアプリケーション６０４と第２のアプリケーション６０６を（それぞれ）走る２つの論理エンドポイントは、中間の変換なしに（すなわち、データ転送が修正されずに）直接通信することができる。論理エンドポイントは、それぞれのＷｉ-Ｆｉインターフェースで発生している下にある物理的およびデータリンクトランザクションに気付かない。１つの例示の実施の形態では、第１のアプリケーション６０４は加入者装置のソフトウエアスタックに結合し、第２のアプリケーション６０６は無線ルータのソフトウエアスタック（図示せず）に結合する。言い換えると、Ｗｉ-Ｆｉ  ＰＩＰＥにより、加入者装置のスタック（加入者装置７００上のＳＩＭ／ＵＳＩＭカード）は無線ルータのスタック（無線ルータ３００上の）に直接接続することができる。
【００７５】
前に述べたように（例えば、図２および以前の説明に述べたように）、無線ルータはエボルブドパケットコア（ＥＰＣ）に（例えば、セキュリティゲートウエイ２０８を介して）直接接続する。１つの例示の実施の形態では、無線ルータは、ＬＴＥ    ＥＰＣおよびＵＥと通信しおよび／または対話するのに既存のｅＮＢ  ＬＴＥソフトウエア構造およびエンティティ（例えば、論理チャネル、プロトコルおよびソフトウエアスタック、ＲＲＭなど）の全部または一部を用いるよう構成される。例えば、図７は先行技術のＬＴＥ無線構造のいくつかの論理、移送、および物理チャネルを、それぞれのプロトコルストック層と共に示す。
【００７６】
図８は、ユーザ設備（ＵＥ）、エボルブドＮｏｄｅＢ（ｅＮＢ）、サービングゲートウエイ（ＳＧＷ）、およびＰＤＮゲートウエイ（ＰＧＷ）の間で動作する先行技術のＬＴＥ無線ユーザ平面プロトコルスタックを示す。図９は、ＵＥとｅＮＢと移動性管理エンティティ（ＭＭＥ）の間のための先行技術のＬＴＥ制御平面プロトコルスタックを示す。更に他の物理および／または論理エンティティ（無線資源マネージャ（ＲＲＭ）など）がｅＮＢ動作に有用であろう。かかるエンティティの組込みまたは削除は、本開示の内容が与えられれば、当業者の技術の範囲内である。
【００７７】
無線ルータが、例えば、ＳＧＷおよびＭＭＥとネットワーク側で通信するのは比較的簡単である。例えば、動作中に、無線ルータ３００はそのイーサネットインターフェースを構成し、論理ｅＮＢなどの通信プロトコルを実行することにより、既存のＬＴＥネットワーク構造と継ぎ目なく統合する。特定すると、ユーザ平面上で、無線ルータ３００はＥＰＣにｅＮＢとして現われ、ｅＮＢとＳＧＷの間に用いられるプロトコル（例えば、一般パケット無線サービス（ＧＰＲＳ）トンネリングプロトコル（ＧＴＰＵ））を用いてＳＧＷと通信する。通信はユーザデータグラムプロトコル（ＵＤＰ）インターネットプロトコル（ＩＰ）により行う（無線ルータ３００のイーサネットインターフェース３１２を介して）。
【００７８】
制御平面側では、無線ルータ３００は、ｅＮＢとＭＭＥの間で用いられるプロトコル（例えば、Ｓ１−ＡＰオーバー流れ制御伝送プロトコル（ＳＣＴＰ））を用いてＭＭＥと通信する。通信はＩＰにより行う。上の例は無線ルータのイーサネットインターフェースに関して提示したが、当業者が認識するように、ユーザ平面と制御平面との通信は、本開示の内容が与えられれば、他のインターフェースにより（例えば、無線ルータとＥＰＣの間のバックボーンネットワークに用いられる任意のＭＡＣ（Ｌ２）層および物理（Ｌ１）層により）実行してよい。
【００７９】
Ｗｉ-Ｆｉモデムの動作により生じる違いを処理するには、例示の加入者装置と例示の無線ルータの間のインターフェース（例えば、Ｗｉ-Ｆｉエアインターフェースを介するｅＮＢ−ＵＥインターフェースと類似の）を修正する必要がある。例えば、図１０は、ユーザ設備（ＵＥ）とエボルブドＮｏｄｅＢ（ｅＮＢ）の間で動作するＬＴＥ無線ユーザ平面プロトコルスタックの１つの例示の実施の形態と、ここに記述する原理に従って例示の加入者装置および例示の無線ルータを支援するための修正を示す。図１１は、ユーザ設備（ＵＥ）とエボルブドＮｏｄｅＢ（ｅＮＢ）の間で動作するＬＴＥ無線制御平面プロトコルスタックの１つの例示の実施の形態と、ここに記述する原理に従って例示の加入者装置および例示の無線ルータを支援するための修正を示す。
【００８０】
図に示すように、図１０および図１１において、例示のハイブリッドＷｉ-Ｆｉ  ＰＩＰＥプロトコルスタックは無線リンク制御（ＲＬＣ）層の下で動作し、ＬＴＥ  ＭＡＣおよびＬ１層を、対応するバッファおよびＭＵＸ／ＤｅＭＵＸアセンブリ（１００２，１００４）、Ｗｉ-Ｆｉ  ＰＩＰＥ１００６、および仮想化ＰＨＹ１００８、ユーザ設備（ＵＥ）ＭＡＣ１０１０、およびアクセスポイント（ＡＰ）ＭＡＣ１０１２で置換した。
【００８１】
１つの実施の形態では、Ｗｉ-Ｆｉ  ＰＩＰＥは両側の先入れ先出し（ＦＩＦＯ）データバッファに結合して（例えば、加入者装置４００および無線ルータ３００で）、さもないとＷｉ-Ｆｉ  ＰＩＰＥまたはＬＴＥの動作にスケジューリング問題を起こしかねない到着時間問題（例えば、ジッタ）を処理する。多重ユーザの実施の形態では、ルータは各ユーザに対応する多重バッファと、ユーザ毎の多重区分に分割された単一バッファを組み込んでよい。
【００８２】
各無線ベアラ毎に１つのＲＬＣエンティティがある。これにより、多重無線ベアラは無線ベアラパフォーマンスを分離することができる。ＬＴＥ  ＲＬＣはパケットデータ収束プロトコル（ＰＤＣＰ）層からの（およびこの層への）データパケットを、Ｗｉ-Ｆｉ  ＰＩＰＥが管理可能な大きさに分解する（および再び組み立てる）よう構成される。ＬＴＥ  ＲＬＣは更に、全ての受けたパケットをＰＤＣＰ層に渡す前に、整理された状態にするよう構成される。パケットが消失した場合は、ＬＴＥ  ＲＬＣ層は自動反復要求（ＡＲＱ）手続きを開始して、消失したパケットを回復するための再送信を行うことができる。
【００８３】
無線ベアラ毎に１つのＰＤＣＰエンティティがある。これにより無線ベアラパフォーマンスを分離することができる。ＬＴＥ  ＲＬＣエンティティは暗号化（および完全性）保護を与えるよう構成される（Ｗｉ-Ｆｉ  ＰＩＰＥなどのアントラステッド接続により）。ＬＴＥ  ＰＤＣＰは更に、小さなパケットを伝送するオーバーヘッドを減らす（Ｗｉ-Ｆｉ  ＰＩＰＥパフォーマンスを更に改善する）ローバストヘッダ圧縮（ＲＯＨＣ）を与えるよう構成される。最後に、ＰＤＣＰエンティティはハンドオフ動作中にパケットの再整列および再伝送を行うことができる。
【００８４】
Ｗｉ-Ｆｉ  ＰＩＰＥ１００６および対応するバッファおよびＭＵＸ／ＤｅＭＵＸアセンブリ（１００２，１００４）により例示の加入者と例示の無線ルータの間のＷｉ-Ｆｉ無線リンクか可能になっても、上の層（例えば、ＲＬＣ、ＰＤＣＰ、ＲＲＭなど）は既存のＬＴＥの実現で処理されるので、仮想化ＰＨＹ１００８、ＵＥ  ＭＡＣ１０１０、およびＡＰ  ＭＡＣ１０１２により、ＬＴＥベースの上の層はＷｉ-Ｆｉ無線リンク動作に気付かない。より直接的に、ＵＥ  ＭＡＣ１０１０を無線ルータ３００上にエミュレートし、仮想化ＰＨＹ１００８（ＶＰＨＹ）と通信して、エミュレートされたＭＡＣ  ＰＤＵを最小のメディテーション（ｍｅｄｉｔａｔｉｏｎ）で無線ルータのＡＰ  ＭＡＣ１０１２に渡す。多くのＬＴＥ  ＰＨＹ動作は必要ないので、ＶＰＨＹはＵＥ  ＭＡＣ１０１０およびＡＰ  ＭＡＣ１０１２を正しく動作させるために、無関係のＰＨＹ動作を効果的に「バイパスし」または「だまし」てよい。例えば、物理層動作に関連するランダムアクセスチャネル（ＲＡＣＨ）、タイミングアドバンス（ＴＡ）などの手続きはもう必要ない。
【００８５】
或る事例では、Ｗｉ-Ｆｉ  ＰＩＰＥが上の層と正常な相互動作を行うのに必要な最小のフォーマットおよび変換の機能性を行う「薄いＭＡＣ」として、ＶＰＨＹ、ＵＥ  ＭＡＣ１０１０、およびＡＰ  ＭＡＣ１０１２を更に最適化することができる（なぜなら、実際の物理的な伝播チャネルがないので）。例えば、図１２はＬＴＥ  ＭＡＣ（ＵＥ側）の概念的構造を示す（ｅＮＢ側のＬＴＥ  ＭＡＣも同じ機能性を有する）。ＭＡＣはＲＡＣＨ、ＴＡ、チャネルのスケジューリング、および不連続な受信／送信（ＤＲＸ／ＤＴＸ）などの動作を制御する。かかる機能は全てＶＰＨＹ内で処理され、使用を禁止しまたは省略し（適当な信号またはコマンドを実行しない）、または「だます」（適当な信号またはコマンドを適当な時刻に生成して成功を示すことにより、処理の続行を可能にする）ことができる。
【００８６】
例えば、アップリンクおよびダウンリンクの資源許可信号は、資源が常に利用可能であることを示す物理信号をまねるＶＰＨＹ論理で「だます」ことができる。データパケットはＶＰＨＹ内（これは実質的にエラーおよびロスがない）で処理されるので、ダウンリンクのハイブリッド自動反復要求（ＨＡＲＱ）は省略することができる。同様に、データパケットのエラーおよびロスはＵＥ  ＭＡＣの前に（例えば、Ｗｉ-Ｆｉ  ＰＩＰＥにより）処理されるので、アップリンクのＨＡＲＱは不能にすることができる。チャネル多重化および逆多重化も省略することができる。なぜなら、ＭＡＣサービスデータユニット（ＳＤＵ）（またはＭＡＣ出力でのプロトコルデータユニット（ＰＤＵ））はＶＰＨＹを介してＵＥ  ＭＡＣとＡＰＭＡＣの間で直接渡せるからである。他のＭＡＣ関連の機能は、制限なしに、バッファ状態報告、電力ヘッドルーム報告、ダウンリンクおよびアップリンクのチャネル資源スケジューリング、論理チャネル優先順位決定などを含むが、やはり最適化および／または省略を行うことができる。
【００８７】
例示の「薄いＭＡＣ」およびＶＰＨＹ（「仮想」ＰＨＹ）の上記の説明は、例えば、カウンタ、キーパフォーマンスインディケータ（ＫＰＩ）および下の層から上の層に提供される制御情報を使用してＬＴＥプロトコルスタックを正しく動作させることに基づいている。認識されるように、或る実施の形態は「薄いＭＡＣ」またはＶＰＨＹエミュレーションを必要としない（例えば、所有権を主張できる実現、既存の実現に対する将来の強化、極端に最適化された実現、特殊な使用例など）。この場合は、各末端でのＲＬＣエンティティは、Ｗｉ-Ｆｉ  ＰＩＰＥにより直接そのフレームを互いに渡すことができる。
【００８８】
上記の説明はＭＡＣおよびＬ１層でのＷｉ-Ｆｉ  ＰＩＰＥ機能性で提示したが、認識されるように、他の実施の形態は加入者装置および／または無線ルータ装置の任意の層で同等の動作を実現してよい。
【００８９】
上記の説明は、Ｗｉ-Ｆｉ  ＰＩＰＥデータ処理能力が、サービスエリア内の全てのユーザを支援するためにＬＴＥネットワークが必要とするデータ処理能力より十分大きいことに基づいている。この仮定は一般に正しいが、認識されるように、ＬＴＥネットワークがＷｉ-Ｆｉインターフェースより高速で動作するときは、Ｗｉ-Ｆｉ  ＰＩＰＥは利用可能な容量をＬＴＥネットワークに示して、ＬＴＥネットワークが適当な調整を無線ベアラに行うことができるようにしなければならい（例えば、各ＵＥ  ＭＡＣへの資源およびバンド幅の割当ては限られている）。かかるシナリオは、例えば、無線ルータがセルラネットワーク接続性と同時のレガシー無線ルータ動作の両方を提供するときに発生することがある。両方の機能を十分支援するために、２つの機能をルータのバンド幅の或る比率に「制限し」てよい。
【００９０】
次に図１３は、加入者装置と無線ルータのための全プロトコルスタック構造（ユーザ平面および制御平面）を示す。両方向補助制御チャネル（１３０２、１３０４）および支援するアプリケーションおよびエージェント（１３０６，１３０８）を、集合的にＷｉ-ＦｉオーバーＬＴＥ（ＷｏＬＴＥＮ）プロトコルスタックと呼ぶ。
【００９１】
図に示すように、ＷｏＬＴＥＮ  ＡＰＰ（アプリケーション）１３０６は加入者装置４００内に常駐し、制御平面動作のための無線リンク制御（ＲＬＣ）からノンアクセス層（ＮＡＳ）１３１４までと、ユーザ平面動作のためのＲＬＣ層からインターネットプロトコル（ＩＰ）１３１６までとを支援するＬＴＥスタックを含む。ＷｏＬＴＥＮ  ＡＰＰ１３０６は、バッファおよびＭＵＸ／ＤｅＭＵＸ１３１０、ならびに、ＷｏＬＴＥＮ制御チャネル１３０２と制御および動作ソフトウエアも含む。対応するＷｏＬＴＥＮエージェント１３０８は無線ルータ３００内に常駐し、１台以上の加入者装置の対応する制御平面およびユーザ平面を処理するＬＴＥ  ＵＥ  ＭＡＣ、ＶＰＨＹ、およびＬＴＥ  ＡＰ  ＭＡＣエンティティを含む。１つの実施の形態では、ＷｏＬＴＥＮエージェントは、一般にＬＴＥ  ｅＮＢが提供する追加の機能性を処理するための他の論理および／または物理エンティティ（例えば、無線資源管理（ＲＲＭ）など）も含んでよい。
ＷｏＬＴＥＮ  ＡＰＰ１３０６とＷｏＬＴＥＮエージェント１３０８はＷｏＬＴＥＮ制御チャネルにより双方向に通信する。
【００９２】
１つの実施の形態では、ＷｏＬＴＥＮ  ＡＰＰはダウンロードが可能な（例えば、買える）アプリケーションであり、および／または製作中に加入者装置内に含める。固有のＬＴＥソフトウエアのためのソフトウエア実現および第三者支援のアクセス可能性の性質に従って、ＷｏＬＴＥＮ  ＡＰＰは動作中に固有のＬＴＥプロトコルスタックの全部または一部を置換することができる。例えば、セキュリティ上の懸念から、ＷｏＬＴＥＮ  ＡＰＰは関係するＬＴＥプロトコルスタックの自分自身のコピーを有してよい。別の実施の形態では、ＷｏＬＴＥＮ  ＡＰＰは支援されるＬＴＥプロトコルスタックとインターフェースするよう構成してよい。
【００９３】
次にバッファおよびＭＵＸ／ＤｅＭＵＸ１３１０について述べると、バッファおよびＭＵＸ／ＤｅＭＵＸ１３１０は、アップリンクでＷｉ-Ｆｉ  ＰＩＰＥを介して引き渡すために、異なる信号無線ベアラ（ＳＲＢ）、データ無線ベアラ（ＤＲＢ）、制御平面、ユーザ平面、およびＷｏＬＴＥＮ制御チャネルパケットのＲＬＣパケットを多重化して単一ストリームにするよう構成される。ダウンリンクでは、バッファおよびＭＵＸ／ＤｅＭＵＸ１３１０は、入ってくるデータを緩衝し、また適当なＳＲＢ、ＤＲＢ、制御平面、ユーザ平面、およびＷｏＬＴＥＮ制御チャネルへのパケットを逆多重化するよう構成される。
【００９４】
同様に、ＷｏＬＴＥＮエージェントの多重ユーザ（ＭＵ）バッファおよびＭＵＸ／ＤｅＭＵＸ１３１２は、加入者に転送するために緩衝してＷｉ-Ｆｉ  ＰＩＰＥに引き渡す前に、異なるユーザのＭＡＣパケット（ＳＲＢおよびＤＲＢを含む）および対応するＷｏＬＴＥＮ制御チャネルからのパケットを多重化して単一ストリームにするよう構成される。アップリンクでは、ＭＵＸ／ＤｅＭＵＸ１３１２は、加入者に対応する各ＬＴＥ  ＭＡＣおよびＰＨＹエンティティに渡す前に、Ｗｉ-Ｆｉ  ＰＩＰＥを介して引き渡すパケット（多数のユーザからの）を緩衝して逆多重化するよう構成される。ＷｏＬＴＥＮエージェントを介してネットワークに付属する全ての各加入者は、対応するＷｏＬＴＥＮプロトコルスタックの固有のインスタンスを有する。
【００９５】
方法
ＷｏＬＴＥＮ  ＡＰＰ１３０６とＷｏＬＴＥＮエージェント１３０８の間の例示のＷｉ-Ｆｉ  ＰＩＰＥは独立している。Ｗｉ-Ｆｉリンクは外部エンティティからの入力なしに管理される。ＷｏＬＴＥＮ  ＡＰＰとＷｏＬＴＥＮエージェントはＷｏＬＴＥＮ制御チャネルにより双方向に通信し、以下の責任を持つ。すなわち、
ａ）  ＡＰ３００のサービスエリア内にあるときのＷｉ-Ｆｉ  ＰＩＰＥ管理で、  
更に次のものを含む、
ａ．  無線リンクパフォーマンスに従うＷｉ-Ｆｉ  ＰＩＰＥの構成、Ｗｉ-Ｆ
ｉ  ＰＩＰＥの動作の監視および保全、
ｂ．  Ｗｉ-Ｆｉ  ＰＩＰＥに十分な処理能力を与えるよう構成される、エボル
ブドパケットコア（ＥＰＣ）ネットワークとのＬＴＥセッションの取得およ
び構成、
ｂ）  ＬＴＥリンク管理（ＬＴＥとＷｉ-Ｆｉのインターフェースの間の選択を助
けるためで、一般に次のものを含む、
ａ．  システム情報の転送、
ｂ．  ページングチャネル動作、
ｃ．  セルの測定と、応答するセルの再選択およびハンドオフの手続き、
ｄ．  無線資源制御（ＲＲＣ）、
ｅ．  セキュリティ、完全性、アクセス制御（例えば、ＳＩＭを介した）、
ｆ．  呼制御、
ｃ）  移動性制御、
ｄ）  ＷｏＬＴＥＮセッション開始、
ａ．  ＷｏＬＴＥＮセッションの発見、開始、および構成（例えば、ＷｏＬＴ
ＥＮとレガシーの両動作を支援するホットスポットのための）。
【００９６】
更に別の物理および／または論理エンティティが動作に有用であろう。かかるエンティティの組込みまたは削除は、本開示の内容が与えられれば、当業者の技術の範囲内である。
【００９７】
より詳細に述べると、Ｗｉ-Ｆｉ  ＰＩＰＥ管理は加入者装置と無線ルータの間の無線接続性を制御する。１つの実施の形態では、Ｗｉ-Ｆｉホットスポット機能性は、例えば、既存のＩＥＥＥ８０２．１１ｎ仕様に従って動作するレガシー構成要素に基づく。別の実施の形態では、Ｗｉ-Ｆｉホットスポット機能性をＷｏＬＴＥＮ  ＡＰＰおよび／またはＷｏＬＴＥＮエージェントと統合して、Ｗｉ-Ｆｉ  ＰＩＰＥに特有の使用のパフォーマンスを最適化してよい。
【００９８】
例えば、ＷｏＬＴＥＮエージェントはＬＴＥネットワーク接続性のパフォーマンスを監視し、監視したパフォーマンスを用いて、例えば、ユーザの資源割当てを改善するようＷｉ-Ｆｉ  ＰＩＰＥ動作に伝えてよい。チャネルとバンド幅の割当てを連携させることにより、ＷｏＬＴＥＮエージェントは緩衝の量を減らし、および／またはＶｏＬＴＥ（ボイスオーバーＬＴＥ）またはＶｏＩＰ（ボイスオーバーＩＰ）などのサービスのために構成される高品質（例えば、少ない待ち時間、および低いジッタ）リンクを提供することができる。認識されるように、或る動作は無線リンク（例えば、Ｗｉ-Ｆｉ登録、Ｗｉ-Ｆｉ内ハンドオフ、Ｗｉ-Ｆｉ電力管理、およびＷｉ-Ｆｉ  ＱｏＳなど）に直接影響しないかも知れない。実施の形態に従って、かかる機能はレガシー構成要素および／またはＷｏＬＴＥＮ  ＡＰＰ／エージェント内で扱うことができる。
【００９９】
１つの実施の形態では、ＬＴＥネットワーク接続性は、例えば、既存のＬＴＥ仕様に従って動作するレガシー構成要素に基づく。別の実施の形態では、ＬＴＥリンク機能性はＷｏＬＴＥＮ  ＡＰＰおよび／またはＷｏＬＴＥＮエージェントと統合して、Ｗｉ-Ｆｉ  ＰＩＰＥに特有の使用のためのパフォーマンスを最適化してよい。前に述べたように、ＬＴＥリンクのパフォーマンスを監視してＷｉ-Ｆｉ  ＰＩＰＥ動作を改善することができる。同様に，ＬＴＥパフォーマンスに直接影響しない動作をレガシー構成要素により処理してよく、またはＷｏＬＴＥＮエージェントおよび／またはＷｏＬＴＥＮ  ＡＰＰ内に組み込んでよい。共通の例として、制限なしに、ＬＴＥネットワークの取得（選択および再選択）、認証、暗号化、完全性保護、呼制御（呼／セッションの設定／解体）、移動性（内部および相互のＬＴＥハンドオフ）などがある。
【０１００】
移動性管理に関して、セッションの発見、開始、および構成の一般化されたプロセスの１つの実施の形態を図１４に示す。図に示すように、ＷｏＬＴＥＮ  ＡＰＰおよび／またはＷｏＬＴＥＮエージェントはＷｏＬＴＥＮセッションおよびＷｉ-Ｆｉ  ＰＩＰＥを発見し、開始し、構成するよう構成される。
プロセス１４００のステップ１４０２で、加入者装置は可能になった無線ネットワークを発見する。加入者装置は、無線ネットワークがＷｏＬＴＥＮ動作を支援するかどうか判定する。発見の共通の例は、制限なしに、制御同報のデコーディング、直接問合せを含む。
【０１０１】
或る変形では、無線ネットワークは「オープン」ネットワークである。オープンネットワークはそれぞれのアクセス制御（例えば、認証、許可など）を有しない。別のネットワークでは、ネットワークはクローズドであり、部分的にリミテッドであってよい。例えば加入者装置はユーザにパスワードを催促し、または無線ルータ上のボタンを押すなどを要求してよい。更に別の事例では、加入者装置はバンド外手続きを介したアクセスが許可される（例えば、管理者から許可される）。本開示の内容が与えれれば、種々の他の適当な方式が当業者に認識される。
【０１０２】
ステップ１４０４で、無線ネットワークはＷｏＬＴＥＮ動作を支援すると加入者装置が判定すると、ＷｏＬＴＥＮ  ＡＰＰは加入者装置とネットワークオペレータの間に無線ルータを介してアクセストンネル（またはＷｉ-Ｆｉ  ＰＩＰＥセッション）を確立するよう試みる。１つの実施の形態では、アクセストンネルは加入者装置と無線ルータの間のＷｉ-Ｆｉ  ＰＩＰＥを含む。１つのかかる事例では、ＷｏＬＴＥＮ  ＡＰＰ（またはＷｏＬＴＥＮエージェント）はＷｏＬＴＥＮ制御チャネルを介してＷｏＬＴＥＮ接続要求を送る。接続要求は接続確立に関する情報を含む。情報の共通の例は、例えば、ソフトウエアバージョン、Ｗｉ-ＦｉおよびＬＴＥネイバリストなどを含む。
【０１０３】
接続要求を受けると、プロセス１４００のステップ１４０６で、ＷｏＬＴＥＮエージェントはＷｏＬＴＥＮ接続を確立できるかどうか判定する。或る事例では、ＷｏＬＴＥＮエージェントは資源の制限（例えば、資金不足、処理電力が不十分、ネットワークオペレータへのアクセスができないなど）のために接続要求を支援できないことがある。ＷｏＬＴＥＮエージェントが接続要求を支援できる場合は、ＷｏＬＴＥＮエージェントは加入者装置に対応するデータストリーム緩衝のためにメモリを割当て、または確保する。１つの実施の形態では、ＷｏＬＴＥＮエージェントのＭＵバッファおよびＭＵＸ／ＤｅＭＵＸバッファの一部または一区分を確保して、バッファＩＤ（ハンドラ）を発行する。バッファＩＤをＷｏＬＴＥＮ  ＡＰＰに与えた後で、加入者装置ＷｏＬＴＥＮ  ＡＰＰはバッファＩＤを用いてその対応するＷｏＬＴＥＮ接続にアクセスし／修正する（ＷｏＬＴＥＮエージェントは多数の異なる加入者を同時に処理してよい）。
【０１０４】
ステップ１４０８で、ＷｏＬＴＥＮ接続要求が成功した場合は、ＷｏＬＴＥＮエージェントは接続パラメータを、ＷｏＬＴＥＮ接続許可を介してＷｏＬＴＥＮ  ＡＰＰに戻す。１つの実施の形態では、接続パラメータはバッファＩＤを含む。接続パラメータの他の共通の例は、例えば、接続の質、最大データレートおよび／または処理能力、最小データレートおよび／または処理能力、レガシー、他の接続制限（例えば、ＱｏＳ）などを含んでよい。
ステップ１４１０で、次に加入者装置はＷｏＬＴＥＮ接続を介してデータを処理することができる。より一般的に、加入者装置は「アクセストンネル」ＬＴＥ動作（例えば、システムの取得、接続の確立、活性化、無線ベアラの確立、データフローなど）を行うことができる。
【０１０５】
図１５は、加入者装置プラットフォーム上で実行するＷｏＬＴＥＮ  ＡＰＰの１つの例示の実施の形態のＷｏＬＴＥＮ接続を開始する例示の論理的フローを示す。
ステップ１５０２で、初めて加入者装置の電源のオンすなわちリセットを行うと、ＷｏＬＴＥＮ  ＡＰＰは初期化してその内部変数を設定し、デフォールト値にフラグを立てる（例えば、「ＬＴＥフラグ」をリセットして「０」にして、現在利用可能なＬＴＥネットワークがないことを示す）。
【０１０６】
ステップ１５０４で、初期化の後、ＷｏＬＴＥＮ  ＡＰＰはＬＴＥモデムを可能にし、利用可能なＬＴＥ  ｅＮＢおよびネットワークを探す。所望のネットワークおよびｅＮＢを検出すると、ＷｏＬＴＥＮ  ＡＰＰは「ＬＴＥフラグ」を「１」にセットして、ＬＴＥネットワークアクセスが可能であることを示す。
ＬＴＥネットワークに付属させる前に、ＷｏＬＴＥＮ  ＡＰＰはＷｉ-Ｆｉネットワークの探索を試みてＷｏＬＴＥＮ動作を試みる。一般に、ＷｏＬＴＥＮ動作は消費電力が小さく、および／または高いデータレートを支援するので、ＷｏＬＴＥＮはＬＴＥアクセスより好ましい。認識されるように、他の実施の形態は異なる優先度方式を組み込んでよい。
【０１０７】
ステップ１５０６で、ＷｏＬＴＥＮ  ＡＰＰはＷｉ-Ｆｉモデムを可能にして、近くのＷｉ-Ｆｉ  ＡＰを探す。或る事例では、ＷｏＬＴＥＮ  ＡＰＰは特に無線ルータを見つけるよう構成される好ましいアクセスモードを有してよい。
ステップ１５０８で、Ｗｉ-Ｆｉアクセスポイント（ＡＰ）が見つかった場合は、ＷｏＬＴＥＮ  ＡＰＰはこれを登録する。簡単な実施の形態では、Ｗｉ-Ｆｉ  ＡＰは「オープン」モードで動作する。ＷｏＬＴＥＮ  ＡＰＰがＷｉ-Ｆｉ  ＡＰを登録できない場合は、ＷｏＬＴＥＮ  ＡＰＰはＷｉ-Ｆｉ  ＡＰが見つからなかったかのようにして進行する。クローズドＷｉ-Ｆｉ  ＡＰはなお、別のアクセス方式（後で説明する）を介してアクセスすることができる。
【０１０８】
ステップ１５１０で、ＷｏＬＴＥＮ  ＡＰＰがＷｉ-Ｆｉ  ＡＰの登録に成功した場合は、ＷｏＬＴＥＮ  ＡＰＰはＡＰに問い合せて、適当なＷｏＬＴＥＮエージェントを有するかどうか探す。１つの実施の形態では、問合せはＷｏＬＴＥＮ接続要求／ＷｏＬＴＥＮ接続許可トランザクションを含む。ＷｏＬＴＥＮ問合せが成功した場合は、「ＷｏＬＴＥＮ  ＡＰＰ」は、無線ルータのネットワーク接続（例えば、イーサネット（登録商標））を用いて、Ｗｉ-Ｆｉ  ＰＩＰＥを介してＬＴＥネットワーク取得／登録を継続することができる。
【０１０９】
ＷｏＬＴＥＮ接続中は、ＷｏＬＴＥＮ  ＡＰＰはパフォーマンスを定期的に測定して、よりよいＷｉ-Ｆｉ  ＡＰまたはＬＴＥ  ｅＮＢが利用可能かどうか判定する。１つの実施の形態では、加入者装置は自分自身のＬＴＥセルラインターフェースに定期的に電力を供給して、適当な測定を実行してよい。これらの測定値はＬＴＥネットワークに報告する。ＬＴＥネットワークはこれに応じてハンドオフ（ＨＯ）を行う。ＨＯに有用な例示の測定値は、制限なしに、受信信号強度インジケータ（ＲＳＳＩ）信号レベル測定値、信号対雑音比（ＳＮＲ）、ビットエラーレート（ＢＥＲ）などを含んでよい。他の有用な情報は、例えば、加入者装置のＬＴＥ  ＰＨＹが行う測定に基づくＬＴＥ  ｅＮＢのためのネイバリストを含んでよい。
【０１１０】
ステップ１５１４に戻って、利用可能なＷｉ-Ｆｉネットワークはないが１つ以上のＬＴＥネットワークが利用可能なとき、ＷｏＬＴＥＮ  ＡＰＰはＬＴＥネットワークを使用することに進み、他方でＷｏＬＴＥＮ可能なＷｉ-Ｆｉ  ＡＰを引き続き探す。
【０１１１】
図１６は、無線ルータ上で実行するＷｏＬＴＥＮエージェントの１つの例示の実施の形態のＷｏＬＴＥＮ接続を開始するための論理的フローを示す。  
ステップ１６０２で、初めて無線ルータの電源オンすなわちリセットを行うと、ＷｏＬＴＥＮ  ＡＰＰは初期化してその内部変数を設定し、デフォールト値にフラグを立て（例えば、「ＵＳＥＲ」を「０」にセットすると現在サービスを受けているユーザがないことを示し、またＭＡＸ＿ＵＳＥＲを「１」にセットすると単一ユーザの動作を示す）、Ｗｉ-Ｆｉモデムをスイッチオンすることに進む。
【０１１２】
ステップ１６０４で、ＷｏＬＴＥＮ接続要求メッセージを受けると、ＷｏＬＴＥＮエージェントは、接続要求に応えることができるかどうか判定する。１つの例示の実施の形態では、ＷｏＬＴＥＮエージェントはＵＳＥＲレジスタを増分して、ユーザの数がユーザの最大許容数を超えていないかどうか確認する。ユーザの最大許容数に達していない場合は、ＷｏＬＴＥＮエージェントは次に進んでバッファ空間をＭＵバッファ＆ＭＵＸ／ＤｅＭＵＸバッファ上に割り当て、またバッファＩＤをＷｏＬＴＥＮ  ＡＰＰに割り当て、これをＷｏＬＴＥＮ接続許可によりＷｏＬＴＥＮ  ＡＰＰに送る。その後のトランザクション中は、ＷｏＬＴＥＮ  ＡＰＰはメッセージを送るたびにバッファＩＤを用いることが期待される。或る実施の形態では、バッファＩＤは入ってくるパケットのＷｉ-ＦｉユーザＩＤ（例えば、ＭＡＣアドレス）に関連して取り出してよい。
【０１１３】
他方で、接続要求に応えることができない（例えば、ユーザ数が最大に達した）場合は、新しいユーザはアクセスを拒否される。或る事例では、失敗（例えば、システムのオーバーロード）を知らせる情報メッセージが送られる。
ステップ１６０６で、ＷｏＬＴＥＮエージェントは新しいユーザのためのＷｏＬＴＥＮプロトコルスタックのインスタンスを立ち上げる（各ＷｏＬＴＥＮ  ＡＰＰはＷｏＬＴＥＮプロトコルスタックのインスタンスを必要とする）。
【０１１４】
ＷｏＬＴＥＮエージェントは、ユーザが接続を終了したかどうかを定期的にチェックする（ステップ１６０８）。ユーザが接続を終了した場合は、ＷｏＬＴＥＮエージェントはＵＳＥＲレジスタを減分して、対応するＷｏＬＴＥＮ  ＡＰＰに関連する対応するＷｏＬＴＥＮプロトコルスタックインスタンスを停止する。
入ってくるハンドオフ（ＨＯ）は新しいユーザを追加するのと同様のフローを有し（ステップ１６０４参照）、他方で、出て行くハンドオフはユーザ終了と同様である（ステップ１６０８参照）。
本開示が与えられれば、コアネットワークへのハイブリッドアクセスを実現する多くの他の方式が当業者に認識されるであろう。
【０１１５】
認識されるように、本開示のいくつかの態様を方法のステップの特定のシーケンスで記述したが、かかる記述は本開示の広範な方法の例示に過ぎず、特定の応用での要求に従って修正してよい。或る状況では、或るステップは不要またはオプションでよい。更に、開示した実施の形態に或るステップまたは機能性を追加してよく、または２つ以上のステップのパフォーマンスの順序を変えてよい。全てのかかる変形はここに示しまた主張した開示の中に含まれる。
【０１１６】
上記の詳細な記述は、種々の実施の形態に適用された本開示の新規な特徴を示し、記述し、また指定したが、理解されるように、当業者は、図示した装置またはプロセスの形式および詳細について種々の省略、置換、および変更を、本開示から逸れずに行うことができる。上記の記述は本開示を実行するための現在考えられる最も良いモードである。この記述は決して制限するものではなく、本開示の一般的な原理を示すものと捉えるべきである。本開示の範囲は、クレームを参照して決定されるべきである。
【図１】
0006461817.tif 000002
【図２】
0006461817.tif 000003
【図３】
0006461817.tif 000004
【図４】
0006461817.tif 000005
【図５】
0006461817.tif 000006
【図６】
0006461817.tif 000007
【図７】
0006461817.tif 000008
【図８】
0006461817.tif 000009
【図９】
0006461817.tif 000010
【図１０】
0006461817.tif 000011
【図１１】
0006461817.tif 000012
【図１２】
0006461817.tif 000013
【図１３】
0006461817.tif 000014
【図１４】
0006461817.tif 000015
【図１５】
0006461817.tif 000016
【図１６】
0006461817.tif 000017